(57)【要約】【課題】実工数を、他の時間と区別して計測することが可能な作業管理システム及び作業管理方法を提供する。【解決手段】作業エリア５Ａ〜５Ｅの出入口等にゲート装置５５Ａ〜５５Ｋを設置する。撮影手段を有する携帯端末４１を用いて、作業の開始又は再開を入力する第１の作業ステップと、作業の完了又は中断を入力する第２の作業ステップを表示させ、その際に製品４３の当該部分の撮影画像と、その際の時刻情報を実工数時刻情報として取得する。ゲート装置５５は、作業者等５１のＲＦＩＤタグ５２を検出した際の時刻情報を、入退出時刻情報として取得し、入退出時刻情報と実工数の時刻情報とにもとづいて、実工数とその前後の準備・片付け時間を区分して計測することを特徴とする。【選択図】図１
2011227811.tif 000002
【特許請求の範囲】
【請求項１】
プラント設備の建設工事、保全工事の作業管理方法において、
前記工事の対象機器又は対象部材である対象物を識別するための製品無線識別タグを予め取り付けるとともに、少なくとも前記工事の作業エリアの出入口に作業者が保持する個人無線識別タグと通信可能な入退出検出手段を設置しておき、
前記製品無線識別タグ及び前記個人無線識別タグと通信可能なタグ通信手段、撮影手段、表示手段、及び入力手段を有する携帯端末を用いて、
前記製品無線識別タグから識別情報を取得し、
作業の開始又は再開を入力する第１の作業ステップと、作業の完了又は中断を入力する第２の作業ステップを前記表示手段に表示させ、
前記第１の作業ステップ及び第２の作業ステップにおいて前記対象物の作業部分を前記作業者に撮影させるともに、その撮影時の時刻情報を実工数時刻情報として取得し、
前記入退出検出手段により前記個人無線識別タグを検出した際の時刻情報を、入退出時刻情報として取得し、
前記入退出時刻情報と前記実工数の時刻情報とにもとづいて、実工数とその前後の準備・片付け時間を区分して計測することを特徴とする作業管理方法。
【請求項２】
工事の対象機器又は対象部材である対象物を識別するために当該対象物に取付けた製品無線識別タグと、
作業者に保持させた個人無線識別タグと、
少なくとも前記工事の作業エリアの出入口に設置され、前記作業者が保持する前記個人無線識別タグと通信可能な入退出検出手段と、
前記製品無線識別タグ及び前記個人無線識別タグと通信可能なタグ通信手段、撮影手段、表示手段、及び入力手段を有する携帯端末と、
前記入退出検出手段からの情報と、前記携帯端末からの情報とを取得して作業を管理する管理装置とを用いて、
前記工事であるプラント設備の建設工事、及び、保全工事の作業を管理する作業管理方法において、
前記携帯端末は、
前記作業の開始又は再開時の処理として、
前記タグ通信手段を介して、前記製品無線識別タグから識別情報を取得し、
前記識別情報の取得後、前記作業者に、前記表示手段を介して、作業の開始又は再開の際に作業者が行うべき第１の作業ステップの操作案内を画面表示し、
前記操作案内に従って、前記撮影手段を前記対象物に向けた作業者により撮影の指示が入力されたときは、前記撮影手段により前記対象物の画像を撮影し、撮影画像を記憶するとともに、撮影の時刻情報を実工数時刻情報として記憶し、
前記作業の中断又は完了の処理として、
前記タグ通信手段を介して、前記製品無線識別タグから識別情報を取得し、
前記識別情報の取得後、前記作業者に、前記表示手段を介して、作業の中断又は完了の際に作業者が行うべき第２の作業ステップの操作案内を画面表示し、
前記操作案内に従って、前記撮影手段を前記対象物に向けた作業者により撮影の指示が入力されたときは、前記撮影手段により前記対象物の画像を撮影し、撮影画像を記憶するとともに、撮影の時刻情報を実工数時刻情報として記憶し、
前記管理端末は、
前記入退出検出手段により前記個人無線識別タグを検出した際の時刻情報を、入退出時刻情報として取得し、
前記携帯端末における前記実工数情報を取得し、
前記入退出時刻情報と前記実工数の時刻情報とにもとづいて、実工数とその前後の準備・片付け時間を区分して計測することを特徴とする作業管理方法。
【請求項３】
プラント設備の建設工事、保全工事の作業管理システムであって、
現場作業を管理する管理端末と、
作業者が作業現場に携帯する携帯端末と、
少なくとも前記工事の作業エリアの出入口に設置され、作業者が保持する個人無線識別タグと通信可能な入退出検出手段と、を備え、
前記プラント設備の建設工事、保全工事の作業を管理する作業管理システムであって、
前記工事の対象機器又は対象部材である対象物には、それを識別するための製品無線識別タグが予め取り付けたれており、
前記入退出検出手段は、
前記個人無線識別タグと通信した際の時刻情報を入退出時刻情報として、前記個人無線識別タグから読み取った識別情報とともに、前記管理端末に出力し、
前記携帯端末は、
前記製品無線識別タグ及び前記個人無線識別タグと通信可能なタグ通信手段、撮影手段、表示手段、及び入力手段を有し、
前記タグ通信手段により前記製品無線識別タグ通信として前記対象物の識別情報を取得して、前記表示部に表示させ作業者に対して確認可能とさせるとともに、
前記入力手段により、作業の開始又は再開を入力する第１の作業ステップと、作業の完了又は中断を入力する第２の作業ステップを前記表示手段に表示させ、
前記第１の作業ステップ及び第２の作業ステップにおいて前記対象物の作業部分を、前記作業者に前記撮影手段で撮影させて撮影画像を取得するとともに、その撮影時の時刻情報を実工数時刻情報として取得し、
前記管理端末は、
前記入退出検出手段から出力された入退出時刻情報と、前記携帯端末と接続して取得した前記実工数の時刻情報とにもとづいて、実工数とその前後の準備・片付け時間を区分して計測する工数計測処理手段を有することを特徴とする作業管理システム。
【発明の詳細な説明】
【技術分野】
【０００１】
本発明は、ＲＦＩＤ（Radio Frequency Identification）リーダとＲＦＩＤタグを利用した作業管理システム及び作業管理方法に関する。
【背景技術】
【０００２】
従来から、例えば、特許文献１に開示されているようにＲＦＩＤリーダとＲＦＩＤタグを用いた工場における製品製造の工程管理や、作業者の作業時間を管理するシステム等が知られている。
また、プラント建設工事やプラント保全工事における作業の品質管理、作業記録のためにＲＦＩＤリーダ・ライタとＲＦＩＤタグを利用する作業管理システムが知られている。
【先行技術文献】
【特許文献】
【０００３】
【特許文献１】特開平０６−１６２０３４号公報
【特許文献２】特開２００９−９９１００号公報
【発明の概要】
【発明が解決しようとする課題】
【０００４】
ところで、例えば、発電プラントの建設作業（建設工事）、保全作業（保全工事）は、作業効率向上や工期短縮が大きな課題である。そのために、作業者の実工数管理が重要になってきている。実工数は、直接作業に係る時間を把握することが重要であり、実工数の把握により、作業者の力量評価ができ、その結果にもとづいて適切な作業者のシフト交代や、シフトの組を編成することにより、目標工程に沿った工程管理や、作業工数、作業人員の予測ができ、目標管理ができる。
【０００５】
しかしながら、これまでの実工数の把握は、厳密な時間測定にもとづいたものではなく、作業者の労働に係った時間、つまり、出勤した時刻と、退勤した時刻をもとに行っており、その間の時間の中には作業者の作業場所への移動時間や、作業の開始前の準備時間、作業終了後の片付け時間等の実工数以外も含めていた。
このような、粗い実工数把握をしてきた要因には、発電プラントの建設工事、保全工事には、色々な職種の作業者が、発電プラント内の各所の作業エリアを移動して、前工程と後工程と連携した作業を行っていて、厳密な時間測定が困難であったためである。
【０００６】
例えば、配管設置工事を例に取ると、配管部材の搬入作業→開先合わせ作業→溶接作業→仕上げ作業→溶接部検査→塗装作業といったような作業手順毎に作業者または作業班が異なり、それぞれの作業において作業場所までの移動や、準備作業や、片付け作業や、作業後の移動といったような時間も含まれ、それらを区分した時間測定がなされていなかった。
さらに、次の作業場所における作業に移るために移動したり、色々な要因でその作業が中断して他の作業に取り掛かかったり、班内の作業者が途中から分かれて別の作業をしたりする等のために、作業状況の変化に対応した柔軟に実工数と、準備時間や片付け時間とを区別ができない要因があったが、これらを区分して実工数を計測することができていなかった。
また、発電プラントの建設工事、保全工事においては、作業毎に作業指示書が発行されるが、作業指示書毎の実工数が測定できていなかった。さらに、作業者の職種別、作業班別の力量評価がそのためにできていなかった。
【０００７】
本発明は、前記した従来の課題を解決するものであり、プラントの建設工事、保全工事において作業者の実工数を、準備時間、移動時間、片付け時間等と区別して計測することが可能な作業管理システム及び作業管理方法を提供することを目的とする。
【課題を解決するための手段】
【０００８】
前記課題を解決するために、本発明は、プラント設備の建設工事、保全工事の作業管理方法において、前記工事の対象機器又は対象部材である対象物を識別するための製品無線識別タグを予め取り付けるとともに、少なくとも前記工事の作業エリアの入出口に作業者が保持する個人無線識別タグと通信可能な入退出検出手段を設置しておき、
前記製品無線識別タグ及び前記個人無線識別タグと通信可能なタグ通信手段、撮影手段、表示手段、及び入力手段を有する携帯端末を用いて、前記製品無線識別タグから識別情報を取得し、
作業の開始又は再開を入力する第１の作業ステップと、作業の完了又は中断を入力する第２の作業ステップを表示手段に表示させ、前記第１の作業ステップ及び第２の作業ステップにおいて前記対象物の作業部分を前記作業者に撮影させるともに、その撮影時の時刻情報を実工数時刻情報として取得し、
前記入退出検出手段により前記個人無線識別タグを検出した際の時刻情報を、入退出時刻情報として取得し、前記入退出時刻情報と前記実工数の時刻情報とにもとづいて、実工数とその前後の準備・片付け時間を区分して計測することを特徴とする。
【０００９】
本発明によれば、入退出検出手段による各作業者の当該作業エリアでの滞留が判別でき、その滞留時間の間に、携帯端末にその作業者の識別情報が、当該作業の作業者として入力されるとともに、作業の開始又は再開を入力する第１の作業ステップと、作業の完了又は中断を入力する第２の作業ステップのそれぞれの実工数時刻情報が取得されると、入退出検出手段から取得された各作業者のその作業エリアへの入退出時刻情報と、実工数時刻情報とにもとづいて、実工数とその前後の準備・片付け時間を区分して計測することが可能となる。
その結果、容易に作業毎の実工数を、その前の準備時間、その後の片付け時間と区別して集計することができる。
【発明の効果】
【００１０】
本発明によれば、プラントの建設工事、保全工事において作業者の実工数を、準備時間、移動時間、片付け時間等と区別して計測することが可能な作業管理システム及び作業管理方法を提供することができる。
【図面の簡単な説明】
【００１１】
【図１】作業データ集収管理システムの全体構成図である。
【図２】（ａ）は、作業データ集収管理システムの携帯端末の構成図、（ｂ）は、作業データ集収管理システムの事務所端末の構成図である。
【図３】作業データ集収管理システムの作業管理ＤＢ装置の構成図である。
【図４】（ａ）は、配管施工図の説明図、（ｂ）は、配管施工図の品番を指定すると表示される配管施工図の部材詳細データ表の説明図、（ｃ）は、配管施工図の溶接線番号を指定すると表示される配管施工図の溶接部詳細データ表の説明図である。
【図５】配管組立工事における各配管部材に取り付けられる製品ＲＦＩＤタグと、その製品ＲＦＩＤタグに記憶される情報の説明図である。
【図６】作業管理ＤＢ装置の作業手順ＤＢに含まれる一連の配管工事に係る作業手順情報の例の説明図である。
【図７】作業現場の構成の説明図である。
【図８】ゲート設置ＤＢのデータ構成の説明図である。
【図９】作業データ集収管理システムにおける全体フローチャートである。
【図１０】作業データ集収管理システムにおいて用いられる作業指示書（作業記録）の書式の１例の説明図である。
【図１１】図１０における作業名等欄６１の詳細書式の説明図である。
【図１２】図１０における溶接部上下流配管データ欄６２、開先データ欄６３Ａ，６３Ｂの詳細書式の説明図である。
【図１３】図１０における開先データ欄６３Ｃの詳細書式の説明図である。
【図１４】図１０における開先形状図欄６４、前工程完了（中断）時写真欄６６、作業開始（再開）時写真欄６７、作業完了（中断）時写真欄６８、作業工数欄６９の詳細書式の説明図である。
【図１５】図１０における施工時確認事項欄６５の詳細書式の説明図である。
【図１６】図１０における作業班情報欄７０の詳細書式の説明図である。
【図１７】図１０における作業指示書発行手続き欄７１の詳細書式の説明図である。
【図１８】図１０における作業記録判定結果欄７２、作業記録確認手続き欄７３の詳細書式の説明図である。
【図１９】作業指示書の作成作業の援助をする制御の流れのフローチャートである。
【図２０】作業指示書の作成作業の援助をする制御の流れのフローチャートである。
【図２１】作業指示書を選択して作業記録の入力の援助をする制御の流れのフローチャートである。
【図２２】作業指示書を選択して作業記録の入力の援助をする制御の流れのフローチャートである。
【図２３】作業指示書を選択して作業記録の入力の援助をする制御の流れのフローチャートである。
【図２４】図１０における作業名等欄６１の作業記録入力時の確認作業の説明図である。
【図２５】図１０における溶接部上下流配管データ欄６２、開先データ欄６３Ａの作業記録入力の説明図である。
【図２６】図１０における開先データ欄６３Ｂの作業記録入力の説明図である。
【図２７】図１０における開先データ欄６３Ｃの作業記録入力の説明図である。
【図２８】図１０における開先形状図欄６４、前工程完了（中断）時写真欄６６、並びに作業開始（再開）時写真欄６７、作業完了（中断）時写真欄６８、作業工数欄６９の作業記録入力の説明図である。
【図２９】図１０における施工時確認事項欄６５の作業記録入力の説明図である。
【図３０】図１０における作業班情報欄７０の作業記録入力の説明図である。
【図３１】図１０における作業記録判定結果欄７２、作業記録確認手続き欄７３の入力の説明図である。
【図３２】ゲート装置におけるタグＩＤ情報の事務所端末への送信制御の流れのフローチャートである。
【図３３】事務所端末におけるゲート装置からの情報の処理制御の流れのフローチャートである。
【図３４】事務所端末におけるゲート装置からの情報の処理制御の流れのフローチャートである。
【図３５】ゲート装置からの情報を事務所端末において施工班・作業者移動情報として蓄積記録したものの説明図である。
【図３６】ゲート装置からの情報を事務所端末において施工班・作業者移動情報として蓄積記録したものの説明図である。
【図３７】事務所端末における作業記録の携帯端末からのダウンロードと作業記録ＤＢへの登録処理の制御の流れのフローチャートである。
【図３８】事務所端末における作業記録の携帯端末からのダウンロードと作業記録ＤＢへの登録処理の制御の流れのフローチャートである。
【図３９】事務所端末における工数計数処理の制御の流れのフローチャートである。
【図４０】事務所端末における工数計数処理の制御の流れのフローチャートである。
【図４１】事務所端末における工数計数処理の制御の流れのフローチャートである。
【図４２】工数計数処理における移動時間、準備時間、片付け時間の説明図である。
【図４３】配管設置工事の作業時間集計表の例示の説明図である。
【図４４】配管設置工事の配管ライン別の作業工程の管理表示の説明図である。
【図４５】班別の工程管理表示の説明図である。
【図４６】工数管理表示の説明図である。
【図４７】人員管理表示の説明図である。
【発明を実施するための形態】
【００１２】
以下に、本発明の実施形態に係る作業データ集収管理システム（作業管理システム）１００について図面を参照しながら以下に説明する。
図１は、作業データ集収管理システムの全体構成図であり、図２の（ａ）は、作業データ集収管理システムの携帯端末の構成図、（ｂ）は、作業データ集収管理システムの事務所端末の構成図である。図３は、作業データ集収管理システムの作業管理ＤＢ装置の構成図である。
以下では、例えば、原子力発電所の建設工事や保全工事を例に作業データ集収管理システム１００の構成を説明する。
【００１３】
《全体構成》
図１に示すように、作業データ集収管理システム１００は、現場事務所１内に設置された複数の事務所端末（管理端末）１１、本社設計データ室２に設置された作業管理ＤＢ（データベース）装置１５、本社の設計室に設置された複数のエンジニアリングワークステーション１７、持ち運び可能な複数の携帯端末４１、現場事務所１の出入口に設置されたゲート装置５５Ａ、作業現場４に設置されたゲート装置５５Ｂ，５５Ｃ，５５Ｄ，５５Ｅ，５５Ｆ，５５Ｇ，５５Ｈ，５５Ｊ，５５Ｋ等で構成されている。以下、ゲート装置５５Ａ，５５Ｂ，５５Ｃ，５５Ｄ，５５Ｅ，５５Ｆ，５５Ｇ，５５Ｈ，５５Ｊ，５５Ｋを個々に区別する必要がない場合は、総称してゲート装置（入退出検出手段）５５と称する。
【００１４】
ここでは、例えば、事務所端末１１と携帯端末４１とは、事務所端末１１側の通信端末２５と携帯端末４１側の通信コネクタ４１ｈとを介して通信ケーブルで接続可能として説明するが、それに限定されるものではない。現場事務所１内、作業現場４内にＬＡＮ（Local Area Network）ケーブルが前以って配設されており、ＬＡＮケーブルに適宜設置された無線通信端末を介して事務所端末１１と携帯端末４１が通信可能である構成でも良い。
【００１５】
現場事務所１内には事務所端末１１が複数配置されているが、少なくとも１台の事務所端末１１は、前記したゲート装置５５と通信ネットワーク１３、通信ゲート装置１２Ａを介して接続しており、ゲート装置５５からの情報を収集している。
【００１６】
複数の事務所端末１１は、所内ＬＡＮを経由して通信ゲート装置１２Ａに接続し、さらに通信ネットワーク１３、通信ゲート装置１２Ｂを介して、作業管理ＤＢ装置１５に接続している。
また、例えば、本社の設計室３に配置された複数のエンジニアリングワークステーション１７も社内ＬＡＮを経由して通信ゲート装置１２Ｃに接続し、さらに通信ネットワーク１３、通信ゲート装置１２Ｂを介して、作業管理ＤＢ装置１５に接続している。
【００１７】
作業班の班長を含む作業者や検査員等５１（以下、「作業者等５１」と称する）は、ヘルメット内にＲＦＩＤ（Radio Frequency Identification）タグ（個人無線識別タグ）５２を内蔵した個人ＩＤカードを装着して現場事務所１から作業現場４に出向き、作業指示書６０（図９参照）を見て確認したり、作業記録を入力したりする作業者等５１が、携帯端末４１を携行する。作業者等５１は、１つの作業を基本的に１人で行うことはなく複数で１つの作業班を構成し、その中に班長がおり、その班長が具体的な作業指示をしたり、中心的に作業を行い班内の作業者等５１を指導したりする。
なお、例えば、溶接作業や特殊な検査（Ｘ線検査等）作業のような場合には、その資格保持者が必要であり、必要に応じて資格者を加える。
ＲＦＩＤタグ５２には、タグＩＤ情報の他に、個人を識別できる個人ＩＤ情報（符号によるＩＤ情報だけでなく、漢字表記の氏名も含む）、所属会社情報、作業者等５１の有している資格の種類を示す資格情報（資格コード）が少なくとも記憶されている。さらに、所属する班を識別できる班識別情報や、その班長の個人ＩＤ情報も所定の書式に従って記憶させてあると便利である。
【００１８】
作業現場４に搬入される又は既に設置された工事の対象である機器や部材（対象機器、対象部材）、又は部材の一部（以下、「製品４３」と称する）にはＲＦＩＤタグ（製品無線識別タグ）４４が貼付されている。また、作業現場４に搬入される冶具、工具、計測器類４５（以下、図１に示すように「冶工具・計測器類４５」と称する）には、ＲＦＩＤタグ４６工が貼付されている。製品４３、ＲＦＩＤタグ４４、冶具／工具／計測器類４５、ＲＦＩＤタグ４６については後記する。
【００１９】
《事務所端末》
事務所端末１１は、パーソナルコンピュータ又はエンジニアリングワークステーションで構成されており、図２に示すように情報処理部２１ａ、ハードディスク駆動装置等で構成された記憶部２１ｃ、液晶表示装置等で構成された表示部２２、キーボードやマウスなどで構成された入力部２３、ＲＦＩＤタグと無線通信してＲＦＩＤタグの情報を読み取ったり、ＲＦＩＤタグに情報を書き込んだりするＲＦＩＤタグ・リーダ・ライタ２４（以下「ＲＦＩＤ＿Ｒ／Ｗ２４」と称する）を含んで構成されている。
情報処理部２１ａは、具体的にはＣＰＵ，ＲＯＭ，ＲＡＭ、バス、各種入出力インタフェース回路などで構成されている。
ここでは、情報処理部２１ａは、ＬＡＮ通信用の通信部２１ｂ以外に、携帯端末４１と通信するための通信部２１ｄを有する構成として示してあるが、携帯端末４１ともＬＡＮ通信で通信接続する構成でも良い。
【００２０】
記憶部２１ｃには、事務所端末１１の情報処理部２１ａで互いにデータを共有したり、リンクして動作させたりして機能させるための現場事務所用の作業管理プログラムを記憶したり、収集した作業データを記憶したりする。前記した現場事務所用の作業管理プログラムは、情報処理部２１ａにおいて実行するときの機能構成として、例えば、人員管理部２１１、冶工具・計測器類管理部２１２、仮設品管理部２１３、設計図情報取得部２１４、施工情報取得部２１５、作業指示書作成部２１６、ゲートチェック処理部２１７、作業記録処理部２１８、工数計数処理部（工数計測処理手段）２１９等を含んでいる。
情報処理部２１ａの各機能の詳細については後記する。
【００２１】
《携帯端末》
携帯端末４１は、例えば、ＰＤＡ（Personal Data Assistance）で構成されており、図２に示すように情報処理部４１ａ、液晶表示装置等で構成された表示部（表示手段）４１ｂ、キーボード、カーソルやマーカを移動する移動方向ボタン、決定ボタン、又は表示部４１ｂに設けられたタッチパネル方式の入力部（入力手段）４１ｃ、少なくとも静止画像を撮影可能なカメラ部（撮影手段）４１ｄ、ＲＦＩＤタグ４４，４６，４８，５２（図１参照）と数ｃｍの距離内で通信可能なＲＦＩＤ＿Ｒ／Ｗ（タグ通信手段）４１ｅ、例えば、記憶媒体としてフラッシュメモリを用いるドライブ装置ＳＳＤ（Solid State Drive）等で構成された記憶部４１ｆ、外部と有線又は無線で通信する通信部４１ｇを含んで構成されている。
情報処理部４１ａは、具体的にはＣＰＵ，ＲＯＭ，ＲＡＭ、バス、各種入出力インタフェース回路などで構成されている。
【００２２】
記憶部４１ｆには、携帯端末４１を作業確認や作業データ収集の機能をさせるための携帯端末用の作業管プログラムを記憶したり、事務所端末１１から作業指示書６０をダウンロードして記憶したり、事務所端末１１から設計図情報をダウンロードして記憶したり、作業記録を記憶したりする。前記した携帯端末用の作業管理プログラムは、情報処理部４１ａにおいて実行するときの機能構成として、例えば、作業指示取得部２４１、設計図情報取得部２４２、作業記録作成部２４３、ＲＦＩＤ＿Ｒ／Ｗ制御部（タグ通信手段）２４４、カメラ画像制御部（撮影手段）２４５等を含んでいる。
情報処理部４１ａの各機能の詳細については後記する。
【００２３】
《作業管理ＤＢ装置》
作業管理ＤＢ装置１５は、データサーバで構成されており、図３に示すよう通信ゲート装置１２Ｂと通信するに通信部１５ａ、情報処理部１５ｂ、ハードディスク駆動装置等で構成された記憶部であり、その記憶情報の種類によって機能的に区分された各種データベース１６Ａ〜１６Ｐ（以下、「各種ＤＢ１６Ａ〜１６Ｐ」と称する）含んで構成されている。
情報処理部１５ｂは、具体的にはＣＰＵ，ＲＯＭ，ＲＡＭ、バス、各種入出力インタフェース回路などで構成され、受信された情報に付加された識別情報にもとづいて各種ＤＢ１６Ａ〜１６Ｐに受信された情報を追加したり、更新したり、削除したりする。また、受信された要求情報付加された識別情報にもとづいて各種ＤＢ１６Ａ〜１６Ｐから要求対象の情報を読み出し通信部１５ａに出力する。
【００２４】
各種ＤＢとしては、例えば、設計図情報ＤＢ１６Ａ、詳細施工情報ＤＢ１６Ｂ、製品ＤＢ１６Ｃ、人員管理ＤＢ１６Ｄ、冶工具・計測器類ＤＢ１６Ｅ、仮設品ＤＢ１６Ｆ、工事工程ＤＢ１６Ｇ、作業手順ＤＢ１６Ｈ、ゲート設置ＤＢ１６Ｊ、作業指示書ＤＢ１６Ｋ、施工班・作業者ＤＢ１６Ｌ、作業記録ＤＢ１６Ｍ、工事工数ＤＢ１６Ｎ、作業実績ＤＢ１６Ｐ等を含んでいる。
【００２５】
（設計図情報ＤＢ１６Ａ）
設計図情報ＤＢ１６Ａには、例えば、配管設計図、配置設計図、機器構造図、電気配線図等を３次元電子設計図情報として収納した３次元ＣＡＤデータベース（以下、「３Ｄ−ＣＡＤ＿ＤＢ」と称する）、系統図ＤＢ、配管施工図を収録した配管施工図ＤＢ、各種施工要領書を収納した施工要領書ＤＢ等が含まれる。そして、作業指示書作成部２１６において作業指示書６０（図９参照）を作成する段階で、必要とする設計情報を転記入力するときに設計図情報ＤＢ１６Ａに含まれる各種設計情報が利用される。
ちなみに、設計図情報ＤＢ１６Ａに収納される前記したような各種データベースの設計情報は、設計部門のエンジニアによって所定の手続きを経たものが、設計室３（図１参照）のエンジニアリングワークステーション１７により登録されたものである。
【００２６】
（配管施工図）
次に、図４を参照しながら設計図情報ＤＢ１６Ａに含まれる配管施工図の構成例を説明する。図４の（ａ）は、配管施工図の説明図、（ｂ）は、配管施工図の品番を指定すると表示される配管施工図の部材詳細データ表の説明図、（ｃ）は、配管施工図の溶接線番号を指定すると表示される配管施工図の溶接部詳細データ表の説明図である。
図書識別情報である図面番号（図番）が「Ｈ３４５−００１Ｒｅｖ．２」の配管施工図は、作業現場４（図１参照）のエリアＩＤ情報を示す「エリア番号：作業エリア＃２」と表示され、作業エリア＃２（５Ｂ）に配置される配管であることを示している。その配管系統は「系統名：ＭＳ」と表示して主蒸気ラインを示す略称「ＭＳ」と記され、機器Ａから機器Ｂまでを品番１〜５の配管部材を用い、機器Ａと品番１の配管部材との間は、溶接線番号Ｗ１Ｙで示す現地溶接で接続することを示し、品番１〜品番５までの各配管部材間は、溶接線番号Ｗ２Ｙ，Ｗ３Ｙ，Ｗ４Ｙ，Ｗ５Ｙで示す現地溶接で接続することを示し、品番５の配管部材と機器Ｂとの間は、溶接線番号Ｗ６Ｙで示す現地溶接で接続することを示している。
また、配管内の流体の流れ方向を太線の矢印符号「→」で示している。
【００２７】
配管施工図は、電子設計図情報であり、例えば、矢印形状のマーカを図４の（ａ）に表示された品番のいずれかに指し示しさせた状態で、例えば、マウスをクリックすると図４の（ｂ）に示されるように、品番、配管の起点から終点までに対して付せられるライン番号と、それを構成する一連の配管部材の番号を組み合わせたスプール番号、部品名、材質、材料管理番号、配管外径（呼び径）、肉厚、長さ、重量等の配管の品番毎の詳細データが表示されるような構成となっている。
ここで、前記したスプール番号「２０６Ａ−Ｔ３２」の内の前側の「２０６Ａ」がライン番号を示し、後側の「Ｔ３２」が一連のラインの配管を構成する配管部材番号を示している。
ちなみに、エルボを示す品番２，４に対しては、標準のエルボタイプであることから長さの表示は省略してある。
【００２８】
また、例えば、マーカを図４の（ａ）に表示された溶接線番号に指し示しさせた状態で、例えば、マウスをクリックすると図４の（ｃ）に示されるように、対応する溶接線番号に対して、「位置」と表示の欄から右以降に上流側と下流側を示す詳細データ欄が上下２段に表示され、前記した「スプール番号」と表示した欄、当該溶接線に対する溶接後のＸ線検査等による特殊な検査の要、不要を示す「検査有無」と表示の欄、「材質」と表示の欄、「材料管理番号」と表示の欄、「外径」と表示の欄、「肉厚」と表示の欄、「開先部肉厚寸法（ａ）」と表示の欄、「開先形状」と表示の欄がそれぞれ用意され、表示される。
【００２９】
開先部は、上流側と下流側は同じ形状に加工されるのが普通であり、「開先部肉厚寸法（ａ）」の欄には要求仕様である標準肉厚と最小肉厚の欄が設けられ、「開先形状」の欄には、同一開先形状の呼び呼称が略号表示されている。ここで、例示した開先形状の略号「ＧＨＭＣ」は、メーカが独自に付加する識別情報であり、業界で通常称せられる呼称ではない。
ちなみに、図４の（ａ）における溶接線番号Ｗ１Ｙ又は溶接線番号Ｗ６Ｙを選択すれば、溶接線番号Ｗ１Ｙの場合は、上流側として機器Ａの配管溶接取り合い部分の前記したデータが表示され、溶接線番号Ｗ６Ｙの場合は、下流側として機器Ｂの配管溶接取り合い部分の前記したデータが表示される。
【００３０】
また、機器Ａ、機器Ｂにマーカを指し示した状態でクリックすると、指し示された機器Ａ又は機器Ｂの機器名称、機器識別情報、その構造図や外形図等の設計図書名称とその設計図情報を識別し、設計図情報ＤＢ１６Ａ内でリンクされた当該の電子設計図情報を表示させる設計図書識別情報が表示される。
【００３１】
（詳細施工情報ＤＢ１６Ｂ）
図３に示す詳細施工情報ＤＢ１６Ｂは、例えば、仮溶接情報ＤＢ、開先情報ＤＢ等の詳細な現場作業の要求仕様を格納したものである。
仮溶接情報ＤＢは、溶接する配管の開先同士を仮溶接する場合に、要求される仮溶接の作業に用いる仮付溶接棒の種類、仮溶接時の配管端部を予熱する必要のある場合の仮付予熱温度である仮付予熱温度の情報を含んでいる。これらの情報は、例えば、配管の材料や肉厚等によってデータが異なる。
開先情報ＤＢは、配管の口径、肉厚、材質、設計環境仕様（使用最大圧力、使用温度等）の要求仕様に応じた開先形状（形状タイプ）、開先形状に対応した開先図面寸法、開先合わせ方法、施工時確認項目の内容やその方法を格納したものであり、例えば、配管溶接線番号と関係付けて検索可能にデータが格納されている。
開先形状タイプとしては、一般的には、Ｉ形開先、Ｖ形開先、Ｘ型開先、レ形開先、Ｋ形開先、Ｊ形開先、両面Ｊ形開先、Ｕ形開先、Ｈ形開先等各種の形状がある。また、それに限らず、それを変形した開先形状もある。
【００３２】
（製品ＤＢ１６Ｃ）
図３に戻って製品ＤＢ１６Ｃは、製品４３に貼付されたＲＦＩＤタグ４４（図１参照）のタグＩＤ情報と、ＲＦＩＤタグ４４に記憶された製品識別情報、製品の当該部分、例えば、溶接線番号等を識別する部分識別情報と、その製品識別情報や部分識別情報により関係する設計図情報ＤＢ１６Ａの対応する設計情報や、後記する詳細施工情報ＤＢ１６Ｂの対応する詳細施工情報、例えば、開先形状のデータを検索できるようにした検索用情報が、含まれるように構成されている。
【００３３】
図５は、配管組立工事における各配管部材に取り付けられる製品ＲＦＩＤタグと、その製品ＲＦＩＤタグに記憶される情報の説明図である。図５に示すように製品ＲＦＩＤタグであるＲＦＩＤタグ４４には、製品４３Ａ〜４３Ｅの製品識別情報である配管番号（スプール番号）、例えば「２０６Ａ−Ｔ３２」，「２０６Ａ−Ｔ３３」，「２０６Ａ−Ｔ３４」，「２０６Ａ−Ｔ３５」，「２０６Ａ−Ｔ３６」とその後に組み合わせた部分識別情報である溶接線番号、例えば、「Ｗ１Ｙ」，「Ｗ２Ｙ」，「Ｗ３Ｙ」，「Ｗ４Ｙ」，「Ｗ５Ｙ」，「Ｗ６Ｙ」がハイフン「−」の後ろに組み合わされている。ちなみに、ここのＲＦＩＤタグ４４を識別するタグＩＤ情報も当然ＲＦＩＤタグ４４には記憶されているが、図５では、省略してある。
【００３４】
このＲＦＩＤタグ４４は、例えば、２つのタイプのＲＦＩＤタグを２つ組み合わせて、１つのフィルムパッケージ等に組み込まれたものである。１つは、例えば、１ｍ程度の距離でＲＦＩＤタグリーダと通信可能なタイプであり、もう一つは、例えば、数ｃｍの距離でＲＦＩＤタグリーダと通信可能なタイプのものである。
これは、１ｍ程度の距離でＲＦＩＤタグリーダと通信可能なタイプのＲＦＩＤタグは、ゲート装置５５（図１参照）との通信用のものであり、数ｃｍで通信可能なタイプのＲＦＩＤタグは、主に、携帯端末４１のＲＦＩＤ＿Ｒ／Ｗ４１ｅ（図２参照）との通信用である。
従って、前記した製品ＤＢ１６Ｃでは、個々の製品４３に貼付されたＲＦＩＤタグ４４に対応付けられて前記した２つのタイプに対応するタグＩＤ情報がそれぞれ登録されている。
【００３５】
なお、ゲート装置５５とＲＦＩＤ＿Ｒ／Ｗ４１ｅとは、通信周波数が異なっているのでＲＦＩＤタグそれ自身の識別情報であるタグＩＤ情報を誤読することはない。
【００３６】
なお、製品ＤＢ１６Ｃには、さらに、作業現場４の最終的に設置されるべき場所を示すエリアＩＤ情報、系統名称等が加えられていると便利である。
また、後記する図３３のステップＳ８５，Ｓ８６の機能を利用することによって製品ＤＢ１６Ｃは、製品４３の製品移動情報を蓄積することによって、その製品４３が、入荷して仮置場所に保管されているか否か、現在どこにあるかを示すようにすることが容易に可能である。
【００３７】
（人員管理ＤＢ１６Ｄ）
図３に戻って人員管理ＤＢ１６Ｄは個人情報を格納している。この個人情報としては、当該者の姓名、生年月日、所属会社、所有資格、その資格の有効期間、個人ＩＤカードに内蔵されたＲＦＩＤタグのタグＩＤ情報等が含まれている。
【００３８】
なお、現場で作業する作業者等５１（図１参照）は、胸に装着する視認用の個人ＩＤカード（図示せず）とは別に作業用のヘルメット内に装着可能な個人ＩＤカードを有している。ヘルメット内に装着可能な個人ＩＤカードの中にＲＦＩＤタグ５２（図１参照）が内蔵されているが、このＲＦＩＤタグ５２は、前記したＲＦＩＤタグ４４と同様に２つのタイプのＲＦＩＤタグが組み込まれている。従って、前記した個人情報の中には少なくともヘルメット内に装着された個人ＩＤカード内のＲＦＩＤタグ５２の前記した２つのタイプに対応するタグＩＤ情報がそれぞれ登録されている。
【００３９】
（冶工具・計測器類ＤＢ１６Ｅ）
図３に示す冶工具・計測器類ＤＢ１６Ｅは、冶工具・計測器類情報を格納している。この冶工具・計測器類情報としては、当該冶工具の一般的な名称、製造会社、型式、登録年月日、有効期間のある計器の場合はその有効期間、冶具／工具／計測器類４５の外観写真、冶具／工具／計測器類４５に貼付されたＲＦＩＤタグ４６（図１参照）のタグＩＤ情報等が含まれている。このＲＦＩＤタグ４６は、前記したＲＦＩＤタグ４４と同様に２つのタイプのＲＦＩＤタグを組み合わせて、１つのフィルムパッケージ等に組み込まれたものである。
２種類組み込まれている。従って、前記した冶工具・計測器類情報の中には少なくともＲＦＩＤタグ４６の前記した２つのタイプに対応するタグＩＤ情報がそれぞれ登録されている。
【００４０】
（仮設品ＤＢ１６Ｆ）
図３に示す仮設品ＤＢ１６Ｆは、仮設品情報を格納している。この仮設品情報としては、当該仮設品の一般的な名称、製造会社、型式、登録年月日、収納状態や組立完了状態を含む仮設品４７の外観写真、仮設品４７に貼付されたＲＦＩＤタグ４８（図１参照）のタグＩＤ情報等が含まれている。
ちなみに、仮設品４７としては、仮設工事用足場、ブラクリ用保持枠、配管仮設支持台等がある。
なお、「ブラクリ」とは、例えば、配管部材を組み立てる作業の際に、ロープやチェーンや布帯でブラクリ用保持枠や、仮設工事用足場からぶらさげて溶接部部分を仮溶接し易いように配置する作業を言う。
【００４１】
ＲＦＩＤタグ４８も前記したＲＦＩＤタグ５２と同様に２つのタイプのＲＦＩＤタグを２つ組み合わせて、１つのフィルムパッケージ等に組み込まれたものである。
【００４２】
（工事工程ＤＢ１６Ｇ）
図３に示す工事工程ＤＢ１６Ｇは、全体工事工程、系統別工事工程、建屋別工事工程、作業エリア別工事工程等、フロア別工事工程等、作業管理目的に沿った各種の工事工程の情報が格納されている。これらの各種工事工程は、工事進捗実績に応じて建設管理部門のエンジニアや客先や、工事に関係する各社の間で調整され、必要に応じて改定される。
【００４３】
（作業手順ＤＢ１６Ｈ）
図３に示す作業手順ＤＢ１６Ｈは、機器や配管部材等の工事対象の物（製品）の搬入から据付、溶接、洗浄、各種の要求される検査等を、例えば、１つの系統の配管工事であるならば、その系統の配管工事の全体の現地作業手順を、系統毎や機器毎等に区別して１つの作業手順情報としてその中に含まれる各段階の手順を設定するものである。この作業手順情報に示された各段階の作業手順が、作業指示書６０を作成する段階のベースとなる。
図６は、作業管理ＤＢ装置１５の作業手順ＤＢ１６Ｈに含まれる一連の配管工事に係る作業手順情報の例の説明図である。これを例では、最左欄に１−１〜１−２１に示すような現地作業手順の名称欄が用意され、その右側に、その製品ＩＤ情報を記入する欄、その作業に携わる作業者等５１（図１参照）の個人ＩＤ情報を表示する欄、その作業手順毎の作業場所を識別するエリアＩＤ情報、その作業の状況が、開始されたか、継続中か、完了したかを示す作業状況欄、発行された作業指示書６０を識別する作業指示書ＩＤ（図書番号）を表示する欄等が設けられている。
ちなみに、１−１３の項目番号の「溶接部仕上げ」とは、溶接部をグラインダで滑らかにする処理のことで、応力集中を避けたり、溶接不良を目視検査し易くしたりするものである。
【００４４】
ちなみに、最左欄に１−１〜１−２１に示された各作業手順が１つの作業指示書６０により実行されるものとは限らず、例えば、開先加工、開先合わせ（略称「ＦＵ（Fit up）」、開先検査、溶接作業、熱処理、非破壊検査等では、個別の溶接線番号毎に作業指示書６０が発行される場合もある。その場合は、図６に示す作業指示書ＩＤ情報の欄には、複数の作業指示書ＩＤ情報が表示される。また、作業者等ＩＤ情報の欄も、作業指示書ＩＤ情報とリンクさせて、当該作業指示書ＩＤ情報に関係する作業班を構成する作業者等の個人ＩＤ情報を表示させると良い。
また、製品ＩＤ情報の欄には、必要に応じて前記した配管のライン番号や配管部材番号だけでなく、溶接線番号も記載し、当該作業指示書ＩＤ情報とリンクさせるように構成すると良い。
【００４５】
（ゲート設置ＤＢ１６Ｊ）
次に、図３、図７、図８を参照しながら、図３のゲート設置ＤＢ１６Ｊの構成について説明する。図７は、作業現場の構成の説明図、図８は、ゲート設置ＤＢのデータ構成の説明図である。
図７に示すように現場事務所１の入口には、ゲートＩＤ情報が「Ｇ００１」のゲート装置５５Ａが配置されている。作業現場４は、建物の内部であって、現場事務所１からは通路エリア＃１（６Ａ）が設定され建物内の通路エリア＃２（６Ｂ）の図上の左右両端にはゲートＩＤ情報が「Ｇ００２」のゲート装置５５Ｂ、ゲートＩＤ情報が「Ｇ０１０」のゲート装置５５Ｋが配置され、ゲート装置５５Ｋから建物外の通路エリア＃４（６Ｄ）につながっている。通路エリア＃２（６Ｂ）と作業エリア＃１（５Ａ）の部屋との出入口にはゲートＩＤ情報が「Ｇ００３」のゲート装置５５Ｃが配置されているとともに、通路エリア＃２（６Ｂ）と作業エリア＃２（５Ｂ）の部屋との出入口にはゲートＩＤ情報が「Ｇ００４」のゲート装置５５Ｄが配置されている。作業エリア＃１（５Ａ）の部屋と作業エリア＃２（５Ｂ）の部屋とは出入口で直接通行可能に接続され、そこにゲートＩＤ情報が「Ｇ００５」のゲート装置５５Ｅが配置されている。
【００４６】
また、通路エリア＃２（６Ｂ）と作業エリア＃３（５Ｃ）の部屋との出入口にはゲートＩＤ情報が「Ｇ００６」のゲート装置５５Ｆが配置されているとともに、通路エリア＃２（６Ｂ）と作業エリア＃５（５Ｅ）の部屋との出入口にはゲートＩＤ情報が「Ｇ００８」のゲート装置５５Ｈが配置されている。
また、図上の下方側には通路エリア＃３（６Ｃ）があり、通路エリア＃３（６Ｃ）と作業エリア＃４（５Ｄ）の部屋との出入口にはゲートＩＤ情報が「Ｇ００７」のゲート装置５５Ｇが配置されているとともに、通路エリア＃３（６Ｂ）と作業エリア＃５（５Ｅ）の部屋との出入口にはゲートＩＤ情報が「Ｇ００９」のゲート装置５５Ｊが配置されている。ちなみに、通路エリア＃１（６Ａ）、通路エリア＃３（６Ｃ）、通路エリア＃４（６Ｄ）は、建物の外でつながっている。
【００４７】
各ゲート装置５５は、ＲＦＩＤタグ４４，４６，４８，５２（図１参照）と１ｍ程度の距離内で通信してそのタグＩＤ情報を読み取るＲＦＩＤリーダを有しているとともに、例えば、発光部と受光部とをゲート装置５５の通路部分を挟んで両側に対で対向配置したものを出入口方向に水平に２組配置して組み合わせた移動方向検知装置を有し、製品４３（図１参照）、冶工具・計測器類４５（図１参照）、仮設品４７（図１参照）、作業者等５１（図１参照）の各ゲート装置５５での通過方向を示す通過方向情報を取得できる構成となっている。
【００４８】
そして、図８に示すように、ゲート設置ＤＢ１６Ｊは、作業エリアや通路エリアを識別するためのエリアＩＤ情報を格納するエリアＩＤ情報欄１６Ｊａ、その作業エリアや通路エリアに面しているゲート装置５５のゲートＩＤ情報を格納するゲートＩＤ情報欄１６Ｊｂ、そのエリアが通路エリアか作業エリア（部屋）かを区分する作業エリア／通路区分欄１６Ｊｃ、各ゲート装置５５が、エリアＩＤ情報で識別された作業エリアに入るとき、又は通路エリアに出るとき、＋（プラス）と−（マイナス）の前記した通過方向情報を各ゲート装置５５に対して定義するゲート通過方向定義欄１６Ｊｄが設けられている。
【００４９】
（作業指示書ＤＢ１６Ｋ）
図３に戻って作業指示書ＤＢ１６Ｋは、作業手順ＤＢ１６Ｈの各段階の作業手順毎に作業指示書６０（図１０参照）の雛形の書式が予め用意されて格納されている。そして、具体的に事務所端末１１の作業指示書作成部２１６により作成され、発行されると作業指示書ＤＢ１６Ｋに格納されるともに、前記した作業手順ＤＢ１６Ｈの該当する作業手順情報の該当する作業手順の段階の作業指示書ＩＤ情報の欄にもその作業指示書ＩＤ情報（図書番号）が格納され、また、その中に含まれる作業班の個人ＩＤ情報、必要に応じて製品ＩＤ情報（溶接線番号）等が格納される。
この作業指示書６０の具体例については、図２に示す事務所端末１１における作業指示書作成部２１６の機能の説明の中で、図９から図１７を用いて後記する。
【００５０】
（施工班・作業者ＤＢ１６Ｌ）
施工班・作業者ＤＢ１６Ｌは、事務所端末１１の人員管理部２１１により、人員管理ＤＢ１６Ｄにアクセスして、１つの作業班を構成する作業者等５１の班長、作業者、有資格者を設定されたものであり、どの作業指示書６０に関係するかを作業指示書６０の図書番号（作業指示書ＩＤ情報とも称する）と関係付けて登録されている。
なお、作業班の適用される作業指示書６０に示された日程やエリアＩＤ情報も関係付けて登録しておくと、特定の作業班に作業指示が集中しすぎるオーバブッキングを防止できる。
【００５１】
（作業記録ＤＢ１６Ｍ）
図３に戻って、作業記録ＤＢ１６Ｍは、作業記録を兼ねた作業指示書６０に作業記録を記入したものを逐次蓄積するデータベースであり、事務所端末１１（図２参照）の作業記録処理部２１８（図２参照）において携帯端末４１から作業記録をダウンロードして、作業指示書６０に従った作業を途中で中断した場合の、途中の作業記録もＲｅｖ．番号を図書番号欄６１ｂ（図２４参照）付して格納する構成になっている。この詳細については、図２４から図３１、図３７、及び図３８の説明の中で詳細に後記する。
【００５２】
（工事工数ＤＢ１６Ｎ）
工事工数ＤＢ１６Ｎは、事務所端末１１（図２参照）の工数計数処理部２１９（図２参照）において、ゲート装置５５から受信した作業班・作業者移動情報と、作業記録に含まれる工数に係る情報等にもとづいて作業前の移動時間、準備時間、実工数、片付け時間、作業後の移動時間を区分し算出したものを、作業指示書ＩＤ情報（図書番号）に関係付けて、作業者別、作業班別に計数したものである。この詳細については、図２４から図３１、図３７、及び図３８の説明の中で詳細に後記する。
ちなみに、作業前の移動時間、準備時間は、その作業の前の待ち時間として総称することもある。また、作業後の片付け時間、移動時間は、その作業後の待ち時間として総称することもある。
なお、工事工数ＤＢ１６Ｎには、目標工数、その作業前の目標待ち時間、その作業後の目標待ち時間も作業指示書ＩＤ情報（図書番号）に関係付けて作業指示書作成時に登録されている。この目標工数、その作業前の目標待ち時間、その作業後の目標待ち時間は、以前の経験にもとづいて設定されたものである。
【００５３】
（作業実績ＤＢ１６Ｐ）
作業実績ＤＢ１６Ｐは、工事工数ＤＢ１６Ｎに入力された、実工数、作業前待ち時間、作業後待ち時間、目標工数、目標作業前待ち時間、目標作業後待ち時間にもとづいて、作業手順毎に計画工程と実行程とを比較した図表を格納したものであり、時間の推移に応じて工程管理者等が作成更新して、班別の作業効率の判定を行ったり、作業進捗の管理を行ったりするためのものである。
この作業実績ＤＢ１６Ｐに格納されるデータ例を図４３から図４７の説明の中で後記する。
【００５４】
《事務所端末１１の情報処理部２１ａの各種詳細機能の説明》
次に、図２に戻って、情報処理部２１ａの各種詳細機能について説明する。
【００５５】
（人員管理部２１１）
人員管理部２１１は、例えば、人員管理ＤＢ１６Ｄ（図３参照）にアクセスして作業者等５１の登録されたもの削除や、新規登録や、有資格の更新登録をする機能等を有する。そのため、人員管理ＤＢ１６Ｄにおいて個人情報にアクセスするためには、事前に個人ＩＤ情報が設定され、それにより既に人員管理ＤＢ１６Ｄに登録された個人情報にアクセスするか、新しく別途手続きで決定された個人ＩＤ情報を含めて個人情報を入力して、新規に個人情報を登録する。
【００５６】
さらに、人員管理部２１１は、作業指示書作成部２１６とリンクして協調動作し、作業班を構成する作業者等５１の班長、作業者、有資格者を設定して、どの作業指示書６０に関係するかを作業指示書６０の図書番号（作業指示書ＩＤ情報とも称する）と関係付けて施工班・作業者ＤＢ１６Ｌに登録する機能を有する。
【００５７】
（冶工具・計測器類管理部２１２）
冶工具・計測器類管理部２１２は、例えば、冶工具・計測器類ＤＢ１６Ｅ（図３参照）にアクセスして冶具、工具、計測器類４５の登録されたものの削除や、新規登録や、計測器類で一定期間毎に校正をする必要のあるものにはその有効期間を更新登録する機能等を有する。そのため、冶工具・計測器類ＤＢ１６Ｅにおいて冶工具・計測器類情報にアクセスするためには、事前に冶工具・計測器類ＩＤ情報が設定され、それを入力することにより既に冶工具・計測器類ＤＢ１６Ｅに登録された冶工具・計測器類情報にアクセスするか、新しく別途手続きで決定された冶工具・計測器類ＩＤ情報を含めて冶工具・計測器類情報を入力して、新規に冶工具・計測器類情報を登録する。
【００５８】
さらに、冶工具・計測器類管理部２１２は、作業指示書作成部２１６とリンクして協調動作し、作業に必要な冶工具・計測器類４５を設定して、どの作業指示書６０に関係するかを作業指示書６０の図書番号と関係付けて冶工具・計測器類ＤＢ１６Ｅに登録する機能を有する。
【００５９】
（仮設品管理部２１３）
仮設品管理部２１３は、例えば、仮設品ＤＢ１６Ｆ（図３参照）にアクセスして仮設品４７（図１参照）の登録されたものの削除や、新規登録等の機能を有する。そのため、仮設品ＤＢ１６Ｆにおいて仮設品情報にアクセスするためには、事前に仮設品ＩＤ情報が設定されそれを入力することにより既に仮設品ＤＢ１６Ｆに登録された仮設品情報にアクセスするか、新しく別途手続きで決定された仮設品ＩＤ情報を含めて仮設品情報を入力して、新規に仮設品情報を登録する。
さらに、仮設品管理部２１３は、作業指示書作成部２１６とリンクして協調動作し、作業に必要な仮設品４７を設定して、どの作業指示書６０に関係するかを作業指示書６０の図書番号と関係付けて仮設品ＤＢ１６Ｆに登録する機能を有する。
【００６０】
（設計図情報取得部２１４）
設計図情報取得部２１４は、設計図情報ＤＢ１６Ａ（図３参照）、詳細施工情報ＤＢ１６Ｂにアクセスして、必要な設計情報を取得して表示部２２に表示させる機能を有する。そのため、必要な施工要領書や、施工図等の図書番号を検索可能なように、系統名称、系統番号、機器番号、機器名称、設置される建物やエリアＩＤ情報等から必要な図書にアクセスできるようなメニュー式の検索機能を有している。また、施工要領書（後記する適用要領書、改造指示書を含む）、施工図等の各種図書は電子図書であり、関係する図書や図面をクリックで呼び出したり、例えば、施工図では、表示された品番、溶接線番号等をクリックすることによりその品番の詳細作データや溶接開先形状や詳細施工情報ＤＢ１６Ｂにリンクされて詳細な溶接開先寸法等のデータを呼び出したりすることが可能に構成されている。
【００６１】
（施工情報取得部２１５）
施工情報取得部２１５は、作業指示書作成部２１６において作業指示書６０を作成する際に必要な施工関係の情報を取得する機能を有し、図３に示す製品ＤＢ１６Ｃ、工事工程ＤＢ１６Ｇ、作業手順ＤＢ１６Ｈ、ゲート設置ＤＢ１６Ｊ、発行済みの作業指示書６０（図１０参照）を収納した作業指示書ＤＢ１６Ｋ、作業記録ＤＢ１６Ｍ、工事工数ＤＢ１６Ｎ、施工班・作業者ＤＢ１６Ｌ、作業実績ＤＢ１６Ｐにアクセスして必要な情報を読み出し、表示部２２に表示させる機能を有している。
【００６２】
（作業指示書作成部２１６）
作業指示書作成部２１６は、工事工程ＤＢ１６Ｇに格納された工事工程に沿って、作業手順ＤＢ１６Ｈに格納された当該の製品４３の工事に関係する作業手順情報に従って、例えば、作業班毎の１つの作業単位毎に作業指示書６０（図１０参照）を作成して発行する作業を援助する機能部である。
この作業指示書作成部２１６の詳細な機能については、具体的に図１０から図１８の説明の中で後記する。
【００６３】
（ゲートチェック処理部２１７）
ゲートチェック処理部２１７は、オンラインで各ゲート装置５５と接続した状態で、ゲート装置５５からタグＩＤ情報、ゲート通過方向情報、時刻情報、ゲートＩＤ情報のセットを受信したか否かを監視し、受信した場合には、施工班・作業者移動情報、製品移動情報、冶工具・計測器類移動情報、仮設品移動情報等に区別して、自動的に記憶部２１ｃに時系列的に蓄積する機能を有している。
ゲートチェック処理部２１７における詳細な制御は、図３３、図３４の説明の中で後記する。
【００６４】
（作業記録処理部２１８）
作業記録処理部２１８は、携帯端末４１から作業記録をダウンロードして、作業指示書６０（図９、図２４から図３１参照）の作業が完了しているか中断状態かを判定して、作業指示書（作業記録を兼用）６０を作業記録ＤＢ１６Ｍに記憶格納させるとともに、携帯端末４１に格納された作業指示書６０を削除する。
そして、既に作成済みの作業指示書６０の作業内容が中断の場合は、図書番号欄６１ｂ（図２４参照）の図書番号のＲｅｖ．番号を１つアップした作業指示書６０を自動的に作成して、作業指示書ＤＢ１６Ｋに登録するとともに、関係する作業手順ＤＢ１６Ｈの作業手順書ＩＤ情報もＲｅｖ．番号をアップして、且つ、その作業指示書６０の作業内容が継続中であることを示すフラグを立てる。
【００６５】
既に作成済みの作業指示書６０の作業内容が完了の場合は、記録作成者によって作業が合格か否かの判定をして、作業指示書ＤＢ１６Ｋに仮登録するとともに、審査、承認手続きを求めるために、上司に電子ファイルで転送し、承認されて記録作成者に戻ってきた段階で、関係する作業手順ＤＢ１６Ｈの作業手順書ＩＤ情報に対してその作業指示書６０の作業内容が完了したことを示すフラグを立てる。
【００６６】
《情報処理部４１ａの各種詳細機能の説明》
次に、図２に戻って、情報処理部４１ａの各種詳細機能について説明する。
【００６７】
（作業指示取得部２４１）
作業指示取得部２４１は、例えば、作業指示者又は作業者等５１（図１参照）が、その携帯端末４１を使用して、当日作業予定の作業に係る作業指示書６０を事務所端末１１又は、現場事務所１内のＬＡＮ通信の端末に接続して、入力部４１ｃの操作により作業指示書ＤＢ１６Ｋ（図３参照）から、当該の作業の作業指示書６０をダウンロードして記憶部４１ｆ記憶させたり、表示部４１ｂに表示させたりする機能を有する。
なお、作業指示書６０は、作業記録を兼ねている書式なので、その作業指示の作業の内容が完了せず、中断状態でその日に再開する場合は、作業指示書６０のうちの既に作業された部分は記録記入がなされ、Ｒｅｖ．番号が付された作業指示書６０がダウンロードされることになる。
【００６８】
（設計図情報取得部２４２）
作業指示取得部２４１は、例えば、作業指示者又は作業者等５１（図１参照）が、その携帯端末４１を使用して、当日作業予定の作業に係る設計図情報を、設計図情報ＤＢ１６Ａ、詳細施工情報ＤＢ１６Ｂから必要に応じてダウンロードし、例えば、を事務所端末１１又は、現場事務所１内のＬＡＮ通信の端末に接続して、入力部４１ｃの操作により作業指示書ＤＢ１６Ｋ（図３参照）から、当該の作業の作業指示書６０をダウンロードして記憶部４１ｆに記憶させたり、表示部４１ｂに表示させたりする機能を有する。
【００６９】
（作業記録作成部２４３）
作業記録作成部２４３は、作業者等５１の中の記録者が入力部４１ｃを操作して表示部４１ｂに表示部４１ｂに作業指示書６０を表示させ、その内容に従って作業の順位に表示部４１ｂにマーカが表示されて、予め設定された順に作業する内容にマーカが記録を入力するたびに移動し、必要に応じＲＦＩＤ＿Ｒ／Ｒ４１ｅを操作して製品４３（図１参照）に貼付されたＲＦＩＤタグ４４（図１参照）、冶工具・計測器類４５（図１参照）に貼付されたＲＦＩＤタグ４６（図１参照）、仮設品４７に貼付されたＲＦＩＤタグ４８（図１参照）等、作業者等５１のＲＦＩＤタグ５２からタグＩＤ情報や、そのＲＦＩＤタグ４４，４６，４８，５２に記憶されたタグ情報を読み出したり、記録者に写真撮影を促してカメラ部４１ｄにより画像を取得して作業記録に貼付したりする機能を有する。
【００７０】
また、作業記録作成部２４３は、当該の作業指示書６０に従って作業記録の作成を中断した場合は、作業記録をその状態で記憶部４１ｆにＲｅｖ．番号を付して、記憶させ、中断した作業を再開時には、Ｒｅｖ．番号を１つアップした作業記録を表示部４１ｂに表示させ、再開状態からの残りの作業手順による作業記録の作成をＲｅｖ．番号のアップされた作業記録として入力を受け付け記録する機能を有する。
【００７１】
（ＲＦＩＤ＿Ｒ／Ｗ制御部２４４）
ＲＦＩＤ＿Ｒ／Ｗ制御部２４４は、ＲＦＩＤ＿Ｒ／Ｗ４１ｅとＲＦＩＤタグ４４，４６，４８，５２等との通信を制御し、ＲＦＩＤタグ４４，４６，４８，５２等から取得したタグＩＤ情報やそれ以外のタグ情報を表示部４１ｂに表示させたり、作業記録作成部２４３に入力したりする機能を有する。
【００７２】
（カメラ画像制御部２４５）
カメラ画像制御部２４５は、記録者が入力部４１ｃを操作して取得した撮影画像を表示部４１ｂに表示させたり、複数撮影した撮影画像から選択させたり、不要な画像を削除させたりする機能を有する。カメラ画像制御部２４５は、入力部４１ｃの操作によりカメラ部４１ｄのズーム率を変更したりする機能も有していても良い。
そして、カメラ画像制御部２４５は、撮影画像を作業記録作成部２４３に入力する機能も有する。
【００７３】
《作業指示書作成、発行から作業記録作成、作業記録のダウンロード、工数計数処理までの全体流れの説明》
次に、図９を参照して作業指示書作成、発行から作業記録作成、作業記録のダウンロード、工数計数処理までの全体流れについて簡単に説明する。図９は、作業データ集収管理システム（作業管理システム）１００（図１参照）における全体フローチャートである。
ステップＳ０１では、作業指示書６０の発行者が現場事務所１において、事務所端末１１（図１参照）の作業指示書作成部２１６（図１参照）の機能を用いて、作業指示書６０を作成し、上司の調査、承認を受けて作業者等５１（図１参照）が１つの班を構成して使用する携帯端末４１（図１参照）にアップロードする。この詳細な方法については、図１０から図２０の説明の中で後記する。
ステップＳ０２では、作業現場４（図１参照）において作業班を構成する作業者等５１（図１参照）の内の作業記録者が作業指示書６０にもとづき作業記録を作成する。この詳細な方法については、図１０、図２１から図３０の説明の中で後記する。
ステップＳ０３では、例えば、現場事務所１に戻った作業者等５１から作業報告を受けて携帯端末４１を受け取った作業記録管理者が、事務所端末１１に携帯端末４１を接続して、作業記録をダウンロードする。この詳細な方法については、図３７、図３８の説明の中で後記する。
ステップＳ０４では、前記した作業記録管理者が、作業記録における作業工数に係る情報、作業エリア出入時刻情報等にもとづいて、作業前待ち時間（準備時間）、作業時間（実工数）、作業後待ち時間（片付け時間）等を算出させる。
この詳細な方法については、図３９から図４２の説明の中で後記する。
【００７４】
《作業指示書作成例の説明》
（作業指示書の書式例の説明）
次に、図１０から図１８を参照しながら作業記録の書式を含んだ作業指示書６０の１例について説明する。作業指示書６０は、前記したように各種作業に対応させて事前に標準的な作業指示書６０の雛形の書式が作業指示書ＤＢ１６Ｋ（図３作成）に格納されており、事務所端末１１（図２参照）を操作して、作業指示書作成部２１６の作成援助機能によりメニュー選択により該当する作業指示書６０の雛形の書式を選択して、所要の欄に入力をして作成できる。
【００７５】
図１０は、作業データ集収管理システムにおいて用いられる作業指示書（作業記録）の書式の１例の説明図である。図１１は、図１０における作業名等欄６１の詳細書式の説明図、図１２は、図１０における溶接部上下流配管データ欄６２、開先データ欄６３Ａ，６３Ｂの詳細書式の説明図、図１３は、図１０における開先データ欄６３Ｃの詳細書式の説明図、図１４は、図１０における開先形状図欄６４、前工程完了（中断）時写真欄６６、作業開始（再開）時写真欄６７、作業完了（中断）時写真欄６８、作業工数欄６９の詳細書式の説明図、図１５は、図１０における施工時確認事項欄６５の詳細書式の説明図、図１６は、図１０における作業班情報欄７０の詳細書式の説明図、図１７は、図１０における作業指示書発行手続き欄７１の詳細書式の説明図、図１８は、図１０における作業記録判定結果欄７２、作業記録確認手続き欄７３の詳細書式の説明図である。
【００７６】
図１０に例示した作業指示書６０は、配管溶接部の開先合わせ及び開先検査（ＦＵ：Fit up）作業向けの作業指示書６０の場合の例であり、作業指示書６０全体は、作業名等欄６１、溶接部上下流配管データ欄６２、開先データ欄６３Ａ，６３Ｂ，６３Ｃ、開先形状図欄６４、前工程完了（中断）時写真欄６６、作業開始（再開）時写真欄６７、作業完了（中断）時写真欄６８、作業工数欄６９、施工時確認事項欄６５、作業班情報欄７０、作業指示書発行手続き欄７１、作業記録判定結果欄７２、作業記録確認手続き欄７３を含んで構成されている。
【００７７】
作業名等欄６１は、図１１に示すように作業名欄６１ａ、作業指示書６０を識別する作業指示書ＩＤ情報である図書番号を入力する図書番号欄６１ｂ、製品の納品先を入力する客先情報やプラント名称情報を入力する客先プラント名称欄６１ｃ、プラントの系統名を入力する系統名欄６１ｄ、系統名略称欄６１ｄ1、配管施工図番欄６１ｅ、溶接線（継手）番号欄６１ｆ1、溶接部所欄６１ｆ2、エリア番号欄６１ｇ、ライン番号欄６１ｈ、適用要領書番号６１ｉ、改造指示書番号欄６１ｋ等を含んでいる。
ここでエリア番号欄６１ｇの示すエリアＩＤ情報は、図１、図７に示した作業現場４の作業エリア＃１〜＃５だけを示すものではなく、通路エリア＃１〜＃４に仮置きする場合も、製品搬入後に保管場所に一時保管する場合もあることから、ゲート装置５５（図１参照）で特定が可能な通路エリア＃１〜＃４、保管場所等の作業指示書６０に記載上必要なエリアＩＤ情報をも記載可能である。
【００７８】
溶接部上下流配管データ欄６２は、図１２に示すように上下２段の欄で構成され、上段側が溶接線番号で示す溶接部の上流配管のデータを、下段側が同じく下流配管のデータを示している。スプール番号欄６２ａは、配管のライン番号と配管の一連のラインを構成する配管部材番号とをハイフン（「−」）で結合した番号である。その右側に、確認欄６２ｂが設けられ、この欄は作業記録作成時に入力される欄である。さらに、その右側に配管の材質を示す符号を入力する材質欄６２ｃ、配管の材料管理番号を入力する材料管理番号欄６２ｄ、配管の口径（呼び径）を記入する口径欄６２ｅ、配管の肉厚（単位ｍｍ）を記入する肉厚欄６２ｆが設けられている。
【００７９】
開先データ欄６３Ａ欄は、図１２に示すように開先面検査項目の一部を記入する欄であり、溶接線番号の上下流側両方の開先形状の概容を示す開先部肉厚欄６３ａには、図１４の開先形状符号欄６４ａに示したａ部の肉厚（単位ｍｍ）の検査のための標準肉厚と最小肉厚を示す欄が用意されている。その右に続く異物確認欄６３ｂ1、写真欄６３ｂ2は、作業記録作成時に入力される欄である。
開先データ欄６３Ｂは、図１２に示すように開先面検査項目の一部を記入する欄であり、開先合せ方法を記入する開先合せ方法欄６３ｃ、開先合せ方法を作業記録時に入力する確認結果欄６３ｄ、開先合せ作業時の仮溶接に用いられるべき仮付溶接棒の種類を記入する仮付溶接棒・種類欄６３ｅ、仮付溶接棒の種類を作業記録時に入力する確認結果欄６３ｆ、仮付溶接時の予熱温度を記入する仮付予熱温度欄６３ｇ、仮付溶接時の予熱温度を作業記録時に入力する確認結果欄６３ｈを含んで構成されている。
なお、開先合せ方法には、上流及び下流の開先部間を複数のコの字形状の冶具を周方向に複数個溶接して所定の間隔内に対向する面を突き合わせて保持する「ブリッジ」の他に、例えば、仮設品４７である仮設架台にＵ字ボルトで締付け固定する等の方法がある。
【００８０】
開先データ欄６３Ｃは、図１３に示すように開先面検査項目の一部を記入する欄であり、基本的に上下２段の欄で構成され、欄６３ｉ〜６３ｍは、上段側が溶接線番号で示す溶接部の上流配管の開先形状のデータの検査結果、下段側が同じく下流配管の開先形状のデータの検査結果を記入する欄が設けられている。材料管理番号欄６３ｉは、溶接部上下流配管データ欄６２の材料管理番号欄６２ｄと重複するが、材料管理番号を記入する欄である。開先形状欄６３ｋは、開先形状を示す社内略号を記入する欄であり、開先面検査結果欄６３ｍは、作業記録作成時に開先形状を後に確認可能なように開先形状の撮影画像を貼付する欄である。
【００８１】
その右側に図１４の開先形状符号欄６４ａに示した各部、例えば、ａ〜ｅ部の寸法や角度の公差として許容される最大、最小値をそれぞれ上下２段で前記したａ〜ｅ部に対して記入する公差値欄６３ｎ1，６３ｎ4，６３ｎ7，６３ｎ10，６３ｎ13、上流側、下流側のそれぞれの測定値を上下２段で作業記録作成時に記入する測定値記入欄６３ｎ2，６３ｎ5，６３ｎ8，６３ｎ11，６３ｎ14、上流側、下流側のそれぞれの測定値に対する判定結果を上下２段で作業記録作成時に記入する判定結果欄６３ｎ3，６３ｎ6，６３ｎ9，６３ｎ12，６３ｎ15が設けられている。
さらに、図１４の開先形状符号欄６４ａに示した各部、例えば、ａ〜ｅ部の寸法や角度の計測時に適用する隙間ゲージ、角度ゲージ等の計測機器の呼称名称と型式、外形写真を記入する適用計測器欄６３ｐ1，６３ｐ2，６３ｐ3，６３ｐ4，６３ｐ5が前記した図１４の開先形状符号欄６４ａに示した各部、例えば、ａ〜ｅ部に対応して設けられている。
ちなみに、外形写真は、欄６３ｐ1，６３ｐ2，６３ｐ3，６３ｐ4，６３ｐ5を、例えば、ダブルクリックすると表示部２２や、表示部４１ｂにポップアップウインド形式で表示され、表示された写真をクリックするとポップアップ表示された外形写真の表示が消える。それにより、単に、計測機器に貼付されたＲＦＩＤタグの情報で型式を確認するだけでなく、外形からも容易に確認できるように欄６３ｐ1，６３ｐ2，６３ｐ3，６３ｐ4，６３ｐ5は構成されている。
【００８２】
開先形状図欄６４は、図１４に示すように、開先形状符号欄６４ａに開先形状欄６３ｋと同じ社内で予め取り決められ、配管施工図や、詳細施工情報ＤＢ１６Ｂ（図３参照）の開先情報ＤＢで用いられる開先形状を示す社内略号を記入する。また、開先形状図欄６４は、図面欄６４ｂに上流下流の両方の開先形状の断面図を示すとともに、作業記録として計測すべき寸法、角度等の定義、例えば、図１４では、ａ部からｅ部を示す。
図１４では、上流と下流側の開先形状は同一の対称的な形状として例示してあるが、対称な形状に限定されるものではなく、図面欄６４ｂの形状に合わせて、前記した開先データ欄６３Ｃの書式は対応するようにするものである。
ちなみに、開先形状図欄６４は、暗黙裡の約束事として、左側を上流側、右側を下流側として表示している。
【００８３】
前工程完了（中断）時写真欄６６は、その作業指示書６０（図１０参照）に対応する作業記録が作成されていない最初の作業記録の場合は、写真欄６６ａには、当該作業指示書６０より前の作業工程の際の作業の完了時に撮影された写真が表示され、例えば、上流側配管及び下流側配管の開先加工完了時の上流側、下流側それぞれの写真が貼り付けられ、その写真撮影時の時刻情報である年月日、何時何分かを示す情報が時刻情報欄６６ｂに表示されている。
なお、図１４では、開先加工完了時の写真が１つとして写真欄６６ａに記載されているが、上流側下流側の開先形状の外観が別個の日時情報で撮影されている場合には、左右に２つ並べて貼付され、日時情報もそれに合わせて時刻情報欄６６ｂに表示される。
【００８４】
前工程完了（中断）時写真欄６６は、その作業指示書６０（図１０参照）に対応する作業記録が既に作成されており、作業の中断されたものを再開する場合は、前回の作業の中断時に撮影された開先形状の外観写真が写真欄６６ａに表示されるとともに、その撮影時の時刻情報が時刻情報欄６６ｂに表示される。
【００８５】
図１４に示す作業開始（再開）時写真欄６７は、その作業指示書６０（図１０参照）に対応する作業記録を作成の際の手続きの中で、作業の開始又は再開されたときの開先形状の外観写真が写真欄６７ａに貼付されるとともに、その撮影時の時刻情報が時刻情報欄６７ｂに入力される。
図１４に示す作業完了（中断）時写真欄６８は、その作業指示書６０（図１０参照）に対応する作業記録を作成の際の手続きの中で、作業の完了又は中断されたときの開先形状の外観写真が写真欄６８ａに貼付されるとともに、その撮影時の時刻情報が時刻情報欄６８ｂに入力される。
また、図１４に示す作業工数欄６９は、目標工数を入力する目標工数欄６９ａと、実工数を計測して入力される実工数欄６９ｂ、計測された実工数と目標工数との差分を表示する工数差表示欄６９ｃを含んで構成されている。
【００８６】
図１５に示す施工時確認事項欄６５は、作業指示書６０に付加的に追加する確認事項を記載する欄であり、各作業手順書の雛形に基本的に記載されているものである。図１５には、開先合せ作業時に、確認する項目数欄６５ａ、その内容を示す項目欄６５ｂ、作業記録として時刻情報（年月日、何時何分）を示す時刻情報欄６５ｃ（図１５では「確認日」と表示）、確認者の個人ＩＤ情報を記入する確認者欄６５ｄ、その結果を入力する結果判定欄６５ｅ、結果判定を後で確認ができるように撮影画像を貼付する写真貼付欄６５ｆが設けられている。
【００８７】
図１６に示す作業班情報欄７０は、作業班の所属する会社名を入力する施工者欄７０ａ、作業班の班長の氏名を記入する作業班長欄７０ｂ、班長の下で作業する作業者等５１（図１参照）の氏名を記入する作業者欄７０ｃ、作業の班を構成する作業者等５１の中で、当該作業に必要な資格とその資格保持者を記入する有資格者欄７０ｄを含んで構成されている。
なお、作業班情報欄７０の欄７０ｂ，７０ｃ，７０ｄには、図１６では表示はされていないが、個人ＩＤ情報、有資格者のその作業で必要な資格コードをもリンクして表示されており、携帯端末４１のＲＦＩＤ＿Ｒ／Ｗ４１ｅでＲＦＩＤタグ５２を読み取って、確認ができる構成としてある。
【００８８】
図１７に示す作業指示書発行手続き欄７１は、作業指示書６０（図１０参照）の起草者であり発行者でもある担当者が草案を作成した年月日欄７１ａ、担当者の氏名が記入される発行者氏名欄７１ｂ、調査者が当該作業指示書６０の草案を調査した年月日欄７１ｃ、調査者の氏名が記入される調査者氏名欄７１ｄ、当該作業指示書６０の草案を承認した年月日欄７１ｅ、承認者の氏名が記入される承認者氏名欄７１ｆを含んで構成されている。
発行者氏名欄７１ｂ、調査者氏名欄７１ｄ、承認者氏名欄７１ｆには、表示はされていないが、個人ＩＤ情報をもリンクして有しており、事務所端末１１のＲＦＩＤ＿Ｒ／Ｗ２４で個人ＩＤカードに内蔵されたＲＦＩＤタグを読み取って入力ができる構成としてある。
【００８９】
図１８に示す作業記録判定結果欄７２は、携帯端末４１において当該の作業指示書６０（図１０参照）に対して、作業記録者が入力部４１ｃを操作して作業の完了を入力すると、作業記録作成部２４３が、作業記録の必要な入力欄がすべて入力されているとともに、対応する各判定結果の欄がＯＫ（「良」）を示していることを確認した場合に、ＯＫの表示を自動入力し、そうでない場合は、入力忘れの欄を点滅表示したり、Ｎｏ（「不可」）と表示されている判定結果の欄を点滅表示させたりし、作業記録判定結果欄７２の入力を受け付けない。その場で、入力忘れの欄の作業や、Ｎｏ（「不可」）と表示されている判定結果の欄の作業の是正を継続しない場合は、中断の操作を行うことになる。
【００９０】
図１８に示す作業記録確認手続き欄７３は、作業記録入力した担当の作業者等５１の作業を完了又は中断した時刻情報欄７３ａ、担当者の氏名が記入される記録者氏名欄７３ｂ、現場事務所１において作業記録の審査者が当該作業指示書６０の最終記録（作業の完了を示す作業記録）を審査した年月日欄７３ｃ、審査者の氏名が記入される審査者氏名欄７３ｄ、当該作業記録を承認した年月日欄７３ｅ、承認者の氏名が記入される承認者氏名欄７３ｆを含んで構成されている。
記録者氏名欄７３ｂ、審査者氏名欄７３ｄ、承認者氏名欄７３ｆには、表示はされていないが、個人ＩＤ情報をもリンクして有しており、事務所端末１１のＲＦＩＤ＿Ｒ／Ｗ２４で個人ＩＤカードに内蔵されたＲＦＩＤタグを読み取って入力ができる構成としてある。
【００９１】
《作業指示書作成の作業の流れ》
次に、図１９、図２０を参照しながら、適宜、図２、図３、図６、図１０から図１８を参照して、事務所端末１１（図２参照）を用いて作業指示書作成部２１６（図２参照）が作業指示書６０を作成する作業の援助をする制御の流れのフローチャートについて説明する。図１９は、作業指示書の作成作業の援助をする制御の流れのフローチャートである。ここでは配管工事における開先合せの作業指示書６０を作成する場合を具体例として説明する。
操作者は、先ず、事務所端末１１の作業指示書作成部２１６による作業指示書作成機能を選択する。ここでは、当該の作業指示書６０（図１０参照）を最初から作成することを前提で説明する。
【００９２】
ステップＳ１１では、操作者が入力部２３（図２参照）を操作してメニュー形式で作業指示書ＤＢ１６Ｋから作業指示書６０の書式（雛形）を選択する入力を受け付ける。そして、受け付けた作業指示書６０の書式を表示部２２（図２参照）に表示する。そして、ステップＳ１２の作業名、図書番号等の入力受付状態となる。
【００９３】
操作者は、メニュー画面から作業名、例えば、配管の開先合せ及び開先検査（図１１では配管の開先合せを意味する略称「配管ＦＵ」と表記）を選択し、作業名欄６１ａ（図１１参照）に入力し、作業手順ＤＢ１６Ｈ（図６参照）の作業指示書ＩＤ情報欄をチェックしながら図書番号を入力する。
なお、図書番号は作業手順ＤＢ１６Ｈの作業手順の項目とリンクして自動的に採番する番号が分類されるようになっており、図６の開先合せの項目に合わせられると、その項目での番号分類の下で既に存在するシーケンス番号に１を加算された図書番号が自動発生されて、図書番号欄６１ｂに入力される。
【００９４】
次に、操作者は、系統名のメニュー選択画面が表示されて系統名を選択、例えば、「タービン主蒸気」、系統名略称の「ＭＳ（Main Steam）」を選択して、系統名欄６１ｄ，系統名略称欄６１ｄ1を入力し、配管施工図の検索メニュー画面を表示させ、設計図情報ＤＢ１６Ａ（図３参照）に含まれる配管施工図ＤＢから配管施工図番を入力する。その入力の結果、ステップＳ１３では、系統名、配管施工図番の入力を受けて、設計図情報ＤＢ１６Ａに含まれる配管施工図ＤＢから、当該の配管施工図を検索する。このとき、図１１の配管施工図番欄６１ｅに配管施工図番が入力される。
【００９５】
そして、ステップＳ１４では、検索された配管施工図を表示部２２に表示して、溶接線番号、作業エリア番号、ライン番号の入力を受付ける。具体的には、図４の（ａ）に示したように配管施工図には、エリア番号、溶接線番号が記載されているので、該当するエリア番号、溶接線番号のテキストデータをコピーして、作業指示書６０のエリア番号欄６１ｇ、溶接線（継手）番号欄６１ｆ1に貼り付ける。
また、図４の（ａ）に示した配管施工図の該当する溶接線番号をクリックすると、図４の（ｃ）に示した溶接部詳細データ表が表示され、スプール番号の欄からライン番号のテキストデータをコピーしてライン番号欄６１ｈに貼り付ける。これらの操作により、溶接線番号、作業エリア番号、ライン番号を容易に正確に入力できる。
【００９６】
ステップＳ１５では、配管施工図から上流側、下流側の両方の配管情報を転記する。前記したように、図４の（ｃ）に示した溶接部詳細データ表が表示されるので、スプール番号の欄から肉厚までの欄のデータをコピーして溶接部上下流配管データ欄６２に貼り付ける。図４の（ｃ）には図示してないがデータには、識別子が付されており、自動的に溶接部上下流配管データ欄６２の該当する欄に、作業記録用の欄を飛ばして貼付される。ちなみに、図４の（ｃ）の溶接検査有無欄のデータは、溶接部上下流配管データ欄６２に貼付時に無視して処理される。
【００９７】
次に、ステップＳ１６では、配管施工図から開先部情報を転記する。ステップＳ１７では、適用計測器名称の入力を受け付ける。
具体的には、図４の（ｃ）に示した開先部肉厚寸法の欄及び開先形状の欄には、図に表示されていないリンクデータが付されており、これらの欄をマウスで背景色の反転をさせてクリックすることで、詳細施工情報ＤＢ１６Ｂに含まれる開先情報ＤＢ内のこの欄に関係付けられた開先部情報がポップアップ表示され、開先データ欄６３Ａの「標準」、「最小」の肉厚データ、開先データ欄６３Ｂの欄６３ｃ，６３ｅ，６３ｇのデータ、開先形状図欄６４の開先形状符号欄６４ａの開先形状の略号、図面欄６４ｂの図形情報、開先データ欄６３Ｃの欄６３ｉ，６３ｋ，６３ｎ1，６３ｎ4，６３ｎ7，６３ｎ10，６３ｎ13の欄に対応するデータが表示される。さらに、適用計測器欄６３ｐ1〜６３ｐ5に対応する型式、外形写真が表示される。従って、操作者は、開先データ欄６３Ａ，６３Ｂ，６３Ｃの前記した対応する欄のデータをコピー、貼付で転記入力する。
ただし、ステップＳ１７では、「適用計測器名称を入力受付け」と表示しているが、計測器の名称以外に、計測器の型式、外形写真も入力を受付ける。
【００９８】
ステップＳ１８では、施工事確認項目の入力を受け付ける。これは、作業名欄６１ａに入力された作業名に対応して、詳細施工情報ＤＢ１６Ｂから施工事確認項目の内容が検索可能にリンクを張られており、表示部２２に表示された施工時確認事項の内容をコピーして施工時確認事項欄６５に貼り付ける。
ステップＳ１９では、作業手順ＤＢ１６Ｈ、作業記録ＤＢ１６Ｍにもとづいて本作業指示書６０の前工程完了時の写真記録を検索して、前工程完了（中断）時写真欄６６に転記し、時刻情報欄６６ｂにも時刻情報を転記する。
【００９９】
ステップＳ２０では、施工班・作業者の入力を受付ける。具体的には操作者は、施工班・作業者ＤＢ１６Ｌから作業班情報欄７０に対応する作業班情報を検索して欄７０ａ〜７０ｄの情報を転記する。このとき、施工者名や氏名や作業上必要とされる資格が欄７０ａ〜７０ｄに表示されるが、表示されないリンク情報として、ＲＦＩＤタグ情報、個人ＩＤ情報、有資格コードがある。ステップＳ２１では、目標工数の入力を受付ける。具体的には、操作者は工事工数ＤＢ１６ＮからこのステップＳ１２で入力された作業名に対応する目標工数を検索して入力する。
ステップＳ２２では、操作者が作業指示書６０を全体表示させて未入力のデータを確認した上で、確認終了の操作をしたかをチェックする（「作業指示書を全体表示確認終了？」）。確認終了の操作をした場合（Ｙｅｓ）は、ステップＳ２３へ進み、確認終了の操作をしていない場合（Ｎｏ）は、操作者は、未入力の欄にカーソルを移動させて、又は間違い入力の欄にカーソルを移動させて入力作業を続けることができる。
【０１００】
ステップＳ２３では、作業指示書作成者名の入力を受付ける。この入力は、具体的には、例えば、操作者の胸に付けられた写真入の個人ＩＤカードに内蔵されたＲＦＩＤタグの個人ＩＤ情報をＲＦＩＤ＿Ｒ／Ｗ２４で読み込むことにより、個人ＩＤ情報にもとづいて人員管理ＤＢ１６Ｄから氏名を検索して、発行者氏名欄７１ｂ（図１７参照）に氏名入力を行う。
ステップＳ２４では、作成された作業指示書６０の草案を調査者、承認者に転送する。この転送は、メールシステムと連動した電子承認手続きによりなされる。これを受けて、調査者が作業指示書６０の草案を調査し、承認者が承認をする。これはステップＳ２３におけると同じく、例えば、調査者や承認者が事務所端末１１（図２参照）の操作者として自分の胸に付けた写真入の個人ＩＤカードに内蔵されたＲＦＩＤタグの個人ＩＤ情報をＲＦＩＤ＿Ｒ／Ｗ２４で読み込むことにより、個人ＩＤ情報にもとづいて人員管理ＤＢ１６Ｄから氏名を検索して、調査者氏名欄７１ｄ、承認者氏名欄７１ｆに氏名入力を行う。そして、調査や承認をＯＫとする操作をすることによってその操作のときの年月日が年月日欄７１ｃ，７１ｅに自動的に入力される。
【０１０１】
ステップＳ２５では、作業指示書６０の調査、承認が完了したかをチェックする。
作業指示書６０の調査、承認が完了している場合（Ｙｅｓ）は、ステップＳ２６へ進み、そうでない場合（Ｎｏ）は、ステップＳ２５を繰り返す。ステップＳ２６では、作業指示書作成者に調査、承認の完了を通知する。これは、調査、承認それぞれの手続きが終わるたびに起草者にメールが着信し、調査、承認された内容が起草者の事務所端末１１に返送されることにより、自動的に確認できる。
調査、承認手続きが完了すると、作業指示書６０は、起草者の事務所端末１１に転送され、調査者、承認者からのコメントがあればそれを反映して正式発行する。作業指示書６０を正式発行することにより発行の年月日が年月日欄７１ｂに自動入力される。
また、正式発行された作業指示書６０は、作業指示書ＤＢ１６Ｋに登録されるとともに、連動して作業手順書ＤＢ１６Ｈにも登録される。
配管開先合せの作業指示書６０の例では、図６の項目番号１−９の「開先合せ」の現地作業手順の横に並ぶ各欄に、作業指示書６０の図書番号（作業指示書ＩＤ情報）とリンクさせて、製品ＩＤ情報欄にライン番号欄６１ｈ（図１１参照）のライン番号と溶接線（継手）番号欄６１ｆ1（図１１参照）の溶接線番号を、作業者等の個人ＩＤ情報欄に作業班情報欄７０（図１６参照）の情報を、エリアＩＤ情報欄にエリア番号欄６１ｇのエリア番号がそれぞれ入力される。
【０１０２】
これにより、新規の作業指示書６０の発行の手続きが完了する。操作者は、その作業指示書６０の内容を担当する作業班に持たせる携帯端末４１（図２参照）に作業指示書６０をアップロードし、必要に応じ、関係する設計図情報を設計図情報ＤＢ１６Ａから、例えば、当該の作業エリアの配管施工図をも携帯端末４１にアップロードし、作業対象の配管を確認する援助とさせる。
【０１０３】
なお、作業指示書６０が既に発行されていて、その作業が何らかの理由により中断されて、その状態で作業記録が作業記録ＤＢ１６Ｍに格納されると、後記する図３８のステップＳ１１６において、中断された作業記録そのものが自動的にＲｅｖ．番号が１つアップされた作業指示書６０（図１０参照）として作成される。具体的には、既に作業記録として入力されたデータはその作業記録からそのままＲｅｖ．番号のアップされた作業指示書６０に転記され、未入力の作業記録欄は空白のままとし、前工程完了（中断）時写真欄６６のデータは削除後、当該の中断された作業記録における作業完了（中断）時写真欄６８の欄６８ａ，６８ｂの写真データ、日時情報が、欄６６ａ，６６ｂに転記され、作業開始（再開）時写真欄６７及び作業完了（中断）時写真欄６８のデータが削除される。
また、業記録確認手続き欄７３の欄７３ａ，７３ｂ（図１８参照）が空白化処理される。
【０１０４】
そして、必要に応じて作業班情報欄７０のデータを変更して、その日の作業が可能な作業班に変更する。
【０１０５】
《作業記録作成の作業の流れ》
次に、図２１から図２３を参照しながら、適宜、図１、図２、図５、図１０、図２４から図３０を参照して、携帯端末４１（図２参照）を用いて作業記録作成部２４３（図２参照）が作業指示書６０を作成する作業の援助をする制御の流れのフローチャートについて説明する。図２１から図２３は、作業指示書を選択して作業記録の入力の援助をする制御の流れのフローチャートである。
先ず、作業班を構成する作業者等５１（図１参照）が携帯端末４１を持って、作業指示書６０の指示する作業エリアに入る。そこで、携帯端末４１を起動して、作業記録作成部２４３の機能を動作させる。
そうすると、表示部４１ｂに、携帯端末４１の記憶部４１ｆに格納されている作業指示書６０（図１０参照）の数の分だけ、図書番号、作業名称、作業エリア番号、作業班を構成する作業者等５１の個人ＩＤ情報、その作業指示書６０に対する「作業の開始」又は「作業の再開」の表示がなされる。
【０１０６】
ここで、「作業の開始」又は「作業の再開」の表示はアイコンボタンでもあり、その作業指示書６０の図書番号欄６１ｂ（図１１参照）の図書番号がＲｅｖ．０の場合は、その作業指示書６０についての初めての作業であることからして、「作業の再開」の表示は、例えば、グレー表示で、その「作業の再開」のアイコンボタンを押下できないように表示する。その作業指示書６０の図書番号に付されたＲｅｖ．１以上のＲｅｖ．番号の場合は、その作業指示書６０についての再作業であることからして、「作業の再開」の表示が明瞭に表示され、アイコンボタンを押下できるように表示し、「作業の開始」の表示は、例えば、グレー表示で、その「作業の開始」のアイコンボタンを押下できないように表示する。
【０１０７】
ステップＳ３１では、「あなたのＲＦＩＤタグを読み込んで下さい」のメッセージ表示を表示部４１ｂ（図２参照）に表示させる。このとき、「個人ＩＤ情報の入力終了」のアイコンボタンも表示する。
ステップＳ３２では、作業班長を含む作業者等５１のＲＦＩＤタグを読み込む。
ステップＳ３３では、ステップＳ３２で読み込んだ個人ＩＤ情報を表示部４１ｂ表示する。ステップＳ３４では、操作者が、ＲＦＩＤタグによる個人ＩＤ情報の入力終了のアイコンボタンを押下したか否かをチェックする（「入力終了ボタンを押下？」）。「個人ＩＤ情報の入力終了」のアイコンボタンを押下した場合（Ｙｅｓ）は、ステップＳ３５へ進み、押下されていない場合（Ｎｏ）は、ステップＳ３２〜Ｓ３４を繰り返す。
【０１０８】
ステップＳ３６では、例えば、ステップＳ３２〜Ｓ３４において入力された作業者等５１の中の班長の個人ＩＤ情報にもとづいて班を判別してその班が作業する予定になっている該当する作業指示書６０の一覧を表示して、「あなたが担当する作業指示書を選択して下さい」のメッセージを表示部４１ｂに表示する。このときも、図書番号、作業名称、作業エリア番号、作業班を構成する作業者等５１の個人ＩＤ情報、その作業指示書６０に対する「作業の開始」又は「作業の再開」の表示がなされる。この表示画面においては、「戻りボタン」、「決定ボタン」が、アイコンボタンとして表示される。
操作者がマーカを作業指示書６０の該当する図書番号に当てて「決定ボタン」を押下すると作業指示書６０を選択した状態になる。そして、ステップＳ３７では、作業指示書６０が選択されたか否かをチェックする（「作業指示書を選択？」）。作業指示書６０が選択された場合（Ｙｅｓ）は、ステップＳ３８へ進み、選択されていない場合（Ｎｏ）は、ステップＳ３６へ戻る。
【０１０９】
ステップＳ３８では、選択された作業指示書６０を表示部４１ｂに表示する。この表示画面においては、「戻りボタン」、「決定ボタン」、並びに、「開始ボタン」又は「再開ボタン」がアイコンボタンとして表示される。
作業者等５１は、表示された作業指示書６０を確認して、それが正しい場合は、操作者が「決定ボタン」を押下し、間違っている場合は、「戻りボタン」を押下する。
ステップＳ３９では、戻りボタン又は決定ボタンが押下されたかをチェックする。「戻りボタン」が押下された場合は、ステップＳ３６へ戻り、「決定ボタン」が押下された場合は、ステップＳ４０へ進む。
【０１１０】
ステップＳ４０では、ステップＳ３８において表示された作業指示書６０を作業記録作成の画面表示にする。つまり、入力を受付ける状態にする。ステップＳ４１では、「作業指示書の指示する作業対象、作業対象部分に付されたＲＦＩＤタグを読み込んで下さい」のメッセージを表示部４１ｂに表示する。
それに応じて、例えば、操作者はＲＦＩＤ＿Ｒ／Ｗ４１ｅを用いて作業指示書６０で指示された溶接線番号の上流及び下流側配管の溶接部近傍に貼付されたＲＦＩＤタグ４４を読み込ませる。ステップＳ４２では、指示されたＲＦＩＤタグ４４を読み込んで製品識別情報を表示する。この作業指示書６０に対応する製品識別情報とは、図５における「Ｗ２Ｙ」と表示の現地溶接線の上下流側の２つのＲＦＩＤタグ４４に記憶された「２０６Ａ−Ｔ３２−Ｗ２Ｙ」，「２０６Ａ−Ｔ３３−Ｗ２Ｙ」のスプール番号と溶接線番号を組み合わせたものである。
【０１１１】
ステップＳ４３では、作業対象、又は作業対象部分に付されたＲＦＩＤタグ４４は正しいか否かをチェックする。この判定は、作業記録作成部２４３において、溶接線（継手）番号欄６１ｆ1のデータと、スプール番号欄６２ａの上流側と下流側のデータと、ＲＦＩＤタグ４４，４４から読み取った製品識別情報とを比較することによって容易に行える。
正しくない場合（Ｎｏ）は、結合子（Ｂ）に従って図２２のステップＳ４４へ進み、正しい場合（Ｙｅｓ）は、結合子（Ｃ）に従って図２２のステップＳ４５へ進む。
【０１１２】
ステップＳ４４では、「正しい作業対象、又は作業対象部分ではありません、ＲＦＩＤタグを読み込み直して下さい」のメッセージを表示部４１ｂに表示する。その後、結合子（Ｄ）に従って、図２１のステップＳ４２へ戻る。
ステップＳ４５では、「作業指示書の指示する作業対象、又は作業対象部分を撮影し、開始ボタン、又は再開ボタンを押下して下さい」のメッセージを表示部４１ｂに表示する。そして、表示部４１ｂには、「撮影ボタン」と表示されたアイコンボタンが表示される。ステップＳ４６では、撮影ボタンが押下されたか否かをチェックする。撮影ボタンが押下された場合（Ｙｅｓ）は、ステップＳ４７へ進み、撮影ボタンが押下されなかった場合（Ｎｏ）は、ステップＳ４５に戻る。
ステップＳ４７では、撮影画像を時刻情報とともに取得し、一時記憶する。ここで、時刻情報は、年月日、何時何分を示す情報を含んでいる。そして、ステップＳ４８では、ステップＳ４７で取得した撮影画像を表示部４１ｂに表示する。
【０１１３】
ステップＳ４９では、開始ボタン、又は再開ボタンが押下されたか否かをチェックする。開始ボタン、又は再開ボタンが押下された場合（Ｙｅｓ）は、ステップＳ５０へ進み、押下されない場合（Ｎｏ）は、ステップＳ４６へ戻る。ここで、ステップＳ４６〜Ｓ４９の繰り返しは、撮影画像において着目点が明瞭に写っていない場合の撮影のやり直しのためのものである。ステップＳ４７を繰り返して撮影画像を複数取得した場合は、撮影画像を縮小画像表示で表示部４１ｂに複数表示させることができ、表示部４１に表示されたマーカを移動させて選択したい画像に当てた状態で入力部４１ｃの「決定ボタン」を押下することによって、画像を選択できるようになっている。
なお、「開始ボタン」又は「再開ボタン」が押下されると、その作業記録の電子ファイルには、作業の開始、又は作業の再開を識別可能に示すタブ情報が付加されて、作業記録の状況識別が容易に判別できる構成となっている。
【０１１４】
ステップＳ５０では、選択された撮影画像を対応する時刻情報（実工数時刻情報）とともに図２８の作業開始（再開）時写真欄６７の写真欄６７ａ、時刻情報欄６７ｂに貼り付ける（記憶する）。このステップＳ４５〜Ｓ５０が、特許請求の範囲に記載の「第１の作業ステップ」に対応する。
ちなみに、ステップＳ４７で複数取得された撮影画像や時刻情報のうち選択されなかったものは、自動的に一時記憶から削除される。この後、表示部４１ｂには、「開始ボタン」、又は「再開ボタン」のアイコンボタンの表示が消え、代わりに「完了ボタン」、及び「中断ボタン」のアイコンボタンが表示され続ける。
【０１１５】
ステップＳ５０の後、ステップＳ６０へ進み、作業指示書６０に従って作業記録の入力を受付ける。ステップＳ６０の作業指示書６０に従った作業記録の入力を受付けている際に、ステップＳ６１に示すように「中断ボタン」、又は「完了ボタン」が押下されたかをチェックする（「中断ボタン、又は完了ボタンを押下？」）。
「中断ボタン」、又は「完了ボタン」が押下されない場合（Ｎｏ）は、ステップＳ５０を続け、「中断ボタン」、又は「完了ボタン」が押下された場合（Ｙｅｓ）は、ステップＳ６２へ進む。
【０１１６】
（作業指示書に従った作業記録の入力を受付け）
ステップＳ５０における作業指示書６０に従って作業記録の入力を受付けは、作業指示書６０の書式によって異なり、ここでは、図１０、図２４から図３１に示した開先合せ及び開先検査（配管ＦＵ）作業の例に従って例示する。このステップＳ６０の状態では、表示部４１ｂに「ＯＫボタン」と「ＮＧボタン」がアイコンボタンとして表示され、以下に例示する、例えば、作業班情報欄７０や確認欄６２ｂや判定結果欄６３ｎ3等に入力可能になっている。
【０１１７】
先ず、ステップＳ３２〜Ｓ３５において読み込み、表示されたＲＦＩＤタグ５２の個人ＩＤ情報、有資格者のその資格の内容を示す資格コード、所属会社を示すコードがそれぞれ作業班情報欄７０に対応しているか目視で確認し、作業班情報の確認の作業として表示されている所属会社コードを施工者欄７０ａに、作業班長の個人ＩＤ情報を作業班長欄７０ｂに、その他の作業者等５１の個人ＩＤ情報を作業者欄７０ｃに、その作業で必要とされる資格を有している作業者等５１の資格コードと個人ＩＤ情報を有資格者欄７０ｄに、それぞれドローしてドロップする。これにより作業班情報欄７０の記入と確認作業が終わる。また、記録者氏名欄７３ｂに携帯端末４１を操作して記録を入力する担当の作業者等５１の個人ＩＤ情報をドローしてドロップする。それに応じて、そのときの時刻情報が、時刻情報欄７３ａに記入される。
なお、作業指示書６０が作成された時点で予定されていた班の構成が当日になって変更があった場合でも、作業記録として容易に変更が可能となっている。
【０１１８】
次いで、作業記録本来の入力について説明する。溶接部上下流配管データ欄６２の上流側と下流側のスプール番号欄６２ａについては、ＲＦＩＤタグ４４から製品識別情報を読み込んでステップＳ４３をＹｅｓと進んだことで、当然、確認欄６２ｂにＯＫを入力する。次いで、マーカが自動的に確認結果欄６３ｄに移動し、目視によって開先合せ方法が開先合せ方法欄６３ｃに表示された方法と一致していること確認して、「ＯＫボタン」を押下し、確認結果欄６３ｄにＯＫを入力する。マーカは、開先面検査結果欄６３ｍに移動し、開先形状の確認を作業者等５１に促す。
操作者は開先形状欄６３ｋに記載さえている略号符号を確認したり、開先形状図欄６４の図面欄６４ｂを現物の開先形状と照合しながら、開先形状が正しいことを確認したりして、「ＯＫボタン」を押下して、開先面検査結果欄６３ｍにＯＫを入力する。また、写真撮影を促すメッセージが表示され、開先形状を示す写真を撮影して、開先面検査結果欄６３ｍに貼付する。
【０１１９】
次いで、マーカは自動的に異物確認欄６３ｂ1に移動し、開先部分に異物がないことの確認を作業者等５１に促す。操作者は、開先部分に異物がないことを確認して「ＯＫボタン」を押下して異物確認欄６３ｂ1にＯＫを入力する。すると、マーカは写真欄６３ｂ2を指し、写真撮影を促すメッセージが表示され開先部分に異物がないことの確認写真を操作者に撮らせ、写真欄６３ｂ2に貼付する。
なお、貼付される撮影画像は、配管の周方向をある程度確認できるように複数枚貼付される構成が望ましい。
【０１２０】
次いで、マーカは施工時確認事項欄６５に移動し、作業者等５１が分担を割り振って確認した施工時確認事項の各項目に異常がないことを確認し、その項目に操作者がマーカを当てて「ＯＫボタン」を押下してＯＫを入力するとともに、写真撮影して撮影画像と時刻情報を取り込み、さらに、分担した作業者等５１のＲＦＩＤタグ５２をＲＦＩＤ＿Ｒ／Ｗ４１ｅで読み込み、確認者の個人ＩＤ情報を入力する。
この作業記録の例においては、スプール外観確認、流れ方向確認、配管勾配確認、内部異物確認が行われることになっている。スプール外観確認や内部異物確認においてはＲＦＩＤタグ４３をＲＦＩＤ＿Ｒ／Ｗ４１ｅで読み込み、配管部材それぞれの製品識別情報と配管部材をそれぞれの撮影画像とを関係付けることが好ましい。
【０１２１】
次いで、マーカは自動的に確認結果欄６３ｆを指し、操作者はこれを受けて、これから仮溶接に用いようとする仮付溶接棒の入っている容器に貼付されたＲＦＩＤタグ（図示省略）をＲＦＩＤ＿Ｒ／Ｗ４１ｅで読み込み、仮付溶接棒・種類欄６３ｅに表示された仮付溶接棒・種類識別情報と、ＲＦＩＤタグで読み出し表示部４１ｂに表示された仮付溶接棒・種類識別情報とが一致することを確認し、「ＯＫボタン」を押下し、作業記録の次のステップに進む。
作業者等５１は、仮付予熱温度欄６３ｇの示す温度範囲を確認して予熱を行い、その範囲内の温度を温度センサが表示しているのを作業者等５１が確認し、確認結果欄６３ｈに「ＯＫボタン」を押下して入力する。そして、作業者等５１は仮溶接を行う。
【０１２２】
次いで、マーカは、開先データ欄６３Ｃの適用計測器欄６３ｐ1〜６３ｐ5に移動し、操作者に、例えば、隙間ゲージ、角度ゲージ等の冶工具・計測器類４５に貼付されたＲＦＩＤタグ４６を読み取るように促す。操作者は、ＲＦＩＤタグ４６を読み取り、適用計測器の型式、冶工具・計測器類ＩＤ情報が表示部４１ｂに表示され、適用計測器欄６３ｐ1〜６３ｐ5の各欄に適合したものかを貼付写真や型式等で確認する。適用計測器が正しい場合、「ＯＫ」表示が一時的に表示され、適用計測器欄６３ｐ1〜６３ｐ5には、明示されていないがＲＦＩＤタグ４６から読み込まれた冶工具・計測器類ＩＤ情報は、対応する欄に記入される。もし、正しくない場合、有効期限切れお場合等は、例えば、「ＮＧ」の表示が一時的に表示され、冶工具・計測器類ＩＤ情報は、対応する欄に記入されない。
【０１２３】
そして、正しいと判定された適用計測器で測定された結果を、操作者は読み取って対応する欄６３ｎ2，６３ｎ5，６３ｎ8，６３ｎ11，６３ｎ14にそれぞれ入力する。すると、その結果が、欄６３ｎ1，６３ｎ4，６３ｎ7，６３ｎ10，６３ｎ13に記載された最大、最小の公差範囲に入っている場合は、自動的に欄６３ｎ3，６３ｎ6，６３ｎ9，６３ｎ12，６３ｎ15にＯＫが入力され、最大、最小の公差範囲より外れている場合は、ＮＧが入力される。
【０１２４】
以上で、図２４から図３０に例示した作業記録の入力が全て完了したことになる。図２２のステップＳ６１に戻って、中断ボタン、又は完了ボタンが押下されて、Ｙｅｓの場合は、ステップＳ６２に進み、「作業指示書の指示する作業対象、又は作業対象部分を撮影し、中断ボタン、又は完了ボタンを再度押下して下さい」のメッセージを表示部４１ｂに表示する。その後、結合子（Ｅ）に従って、図２３のステップＳ６３へ進む。そして、表示部４１ｂには、「撮影ボタン」と表示されたアイコンボタンが表示される。
【０１２５】
ステップＳ６３では、撮影ボタンが押下されたか否かをチェックする。撮影ボタンが押下された場合（Ｙｅｓ）は、ステップＳ６４へ進み、撮影ボタンが押下されなかった場合（Ｎｏ）は、ステップＳ６３に戻る。
ステップＳ６４では、撮影画像を時刻情報とともに取得し、一時記憶する。ここで、時刻情報は、年月日、何時何分を示す情報を含んでいる。そして、ステップＳ６５では、ステップＳ６４で取得した撮影画像を表示部４１ｂに表示する。
【０１２６】
ステップＳ６６では、中断ボタン、又は完了ボタンが押下されたか否かをチェックする。中断ボタン、又は完了ボタンが押下された場合（Ｙｅｓ）は、ステップＳ６７へ進み、押下されない場合（Ｎｏ）は、ステップＳ６３へ戻る。ここで、ステップＳ６３〜Ｓ６６の繰り返しは、撮影画像において着目点が明瞭に写っていない場合の撮影のやり直しのためのものである。ステップＳ６４を繰り返して撮影画像を複数取得した場合は、撮影画像を縮小画像表示で表示部４１ｂに複数表示させることができ、表示部４１に表示されたマーカを移動させて選択したい画像に当てた状態で入力部４１ｃの「決定ボタン」を押下することによって、画像を選択できるようになっている。
なお、「中断ボタン」又は「完了ボタン」が押下されると、その作業記録の電子ファイルには、作業の中断、又は作業の完了を識別可能に示すタブ情報が付加されて、作業記録の状況識別が容易に判別できる構成となっている。
【０１２７】
ステップＳ６７では、選択された撮影画像を対応する時刻情報（実工数時刻情報）とともに図２８の作業完了（中断）時写真欄６８の写真欄６８ａ、時刻情報欄６８ｂに貼り付ける（記憶する）。このステップＳ６１からＳ６７が、特許請求の範囲に記載の「第２の作業ステップ」に対応する。
ちなみに、ステップＳ６４で複数取得された撮影画像や時刻情報のうち選択されなかったものは、自動的に一時記憶から削除される。
【０１２８】
ステップＳ６８では、作業工数を計算する。具体的には、時刻情報欄６７ｂと時刻情報欄６８ｂの２つの時刻情報から実際の作業時間を算出し、作業班情報欄７０に記入された異なる個人ＩＤ情報の数から班を構成する作業者等５１の人数を算出し、作業時間と人数を乗じて今回の実工数（ｍａｎ・Ｈｒ）を実工数欄６９ｂに入力済みの値に加算する。
この作業記録が、作業の開始の場合は、実工数欄６９ｂには、何等数値が記入されていないので、そのまま計算された実工数（ｍａｎ・Ｈｒ）がそこに記載されるが、作業の最下の場合には、既に前回までの実工数が実工数欄６９ｂには記入されており、その値に計算された実工数が加算されその結果が実工数欄６９ｂに入力表示される。その後、実工数欄６９ｂの値から目標工数欄６９ａの値を減算した差分結果がプラス、マイナスの符号付で工数差表示欄６９ｃに入力表示される。
差分結果がプラスの場合は、目標工数をオーバーしていることを示し、マイナスの場合は目標工数より少ない作業時間で作業を済ませたことになる。
【０１２９】
ステップＳ６９では、作業の中断か完了かをチェックする。ステップＳ６６において中断ボタンが押された場合はステップＳ７０へ進み、現在作業記録の入力を中断した対象の作業指示書６０のＲｅｖ．番号をアップして、入力がされていない部分は空白のまま、作業指示書６０を発生させ記憶部４１ｆに記憶させる。また、Ｒｅｖ．番号をアップされた作業指示書６０を生成するときに、前工程完了（中断）時写真欄６６の写真欄６６ａ、時刻情報欄６６ｂのデータは、作業完了（中断）時写真欄６８の写真欄６８ａ、時刻情報欄６８ｂのデータと置き換えられ、作業開始（再開）時写真欄６７の写真欄６７ａ、時刻情報欄６７ｂのデータ、並びに、作業完了（中断）時写真欄６８の写真欄６８ａ、時刻情報欄６８ｂのデータは削除される。
ステップＳ６６で完了ボタンが押された場合は、ステップＳ６９からステップＳ７１へ進み、作業記録の判定を行う。具体的には作業指示書６０において作業記録として入力されるべき箇所が全て入力され、確認結果欄６２ｂ，６３ｂ1，６３ｄ，６３ｆ，６３ｈ，６３ｍ、判定結果欄６３ｎ3，６３ｎ6，６３ｎ9，６３ｎ12，６３ｎ15，６５ｅ等が全てＯＫの入力がなされている場合、合格と判定し、作業記録判定結果欄７２に「合格」の入力が自動的になされる。もし入力の忘れやＮＧの入力がある場合は、フローチャートでは省略してあるが、ステップＳ６０へ戻り、そこの入力を行い、ステップＳ７１に戻ることになる。
ＮＧの項目が是正できない場合は、ステップＳ７１で不合格の入力がなされる。また、中断の処理のステップＳ７０へ進む処理を行う。
ステップＳ７０，Ｓ７１の後、ステップＳ７２へ進み、作業指示書６０にもとづく一連の作業記録の入力を終了する。
【０１３０】
このように、作業指示書６０にもとづく作業記録の作成作業が、昼休みとか、他の班からの応援要請等で中断を余儀なくされた場合でも、作業記録が再開できるようになっており、中断前の現状写真が残されているので、作業の再開の場合に都合が良い。
時には、作業がその日のうちに再開されることはなく、別の日に再開されることもあるので、別の作業班がその作業を引き継いで再開する場合でも作業現場の現場確認をする必要なく、写真記録で現況を理解でき、作業を再開できる。
【０１３１】
《ゲート装置における人、物の移動検出》
次に、図３２を参照しながらゲート装置５５における人、物の移動検出の方法を簡単に説明する。図３２は、ゲート装置におけるタグＩＤ情報の事務所端末への送信制御の流れのフローチャートである。
ステップＳ７５では、ゲート装置５５は、ＲＦＩＤタグ４４，４６，４８，５２と通信したか否かをチェックする。通信した場合（Ｙｅｓ）は、ステップＳ７６へ進み、通信しなかった場合（Ｎｏ）は、ステップＳ７５を繰り返す。
【０１３２】
ステップＳ７６では、タグＩＤ情報を読み取る。そして、ステップＳ７７では、ゲート装置５５の有する移動方向検知装置からの信号にもとづいて、ゲート通過方向を判定してゲート通過方向情報、例えば、前記した＋（プラス）、−（マイナス）の符合を生成する。ステップＳ７８では、タグＩＤ情報、及びゲート通過方向情報を、時刻情報とゲートＩＤ情報とを付して事務所端末１１に送信する。
【０１３３】
《事務所端末におけるゲート装置からの情報の処理》
次に、図３３から図３６を参照しながら、適宜、図１、図３、図７を参照して事務所端末１１のゲートチェック処理部２１７におけるゲート装置５５からの情報の処理の方法について説明する。
図３３、図３４は、事務所端末におけるゲート装置からの情報の処理制御の流れのフローチャートである。図３５、図３６は、ゲート装置からの情報を事務所端末において施工班・作業者移動情報として蓄積記録したものの説明図である。
【０１３４】
ステップＳ８１では、ゲート装置５５から通信があったか否かをチェックする。通信があった場合（Ｙｅｓ）は、ステップＳ８２へ進み、ゲート装置５５から通信ない場合（Ｎｏ）は、ステップＳ８１を繰返す。ステップＳ８２では、タグＩＤ情報、ゲート通過方向情報、時刻情報、ゲートＩＤ情報を受信する。そして、ステップＳ８３では、受信したタグＩＤ情報は、施工班・作業者ＤＢ１６Ｌ（図３参照）に登録されているタグＩＤ情報か否かをチェックする。施工班・作業者ＤＢ１６Ｌに登録されているタグＩＤ情報の場合（Ｙｅｓ）は、ステップＳ８４へ進み、そうでない場合（Ｎｏ）は、ステップＳ８５へ進む。ステップＳ８４では、施工班・作業者移動情報として、個人ＩＤ情報に関係付けて、ゲートＩＤ情報、ゲート通過方向情報、時刻情報（入退出時刻情報）を記憶部２１ｃに記録する。ステップＳ８４の後、結合子（Ｆ）に従って、ゲート装置５５から受信したタグＩＤ情報、ゲート通過方向情報、時刻情報、ゲートＩＤ情報の処理を終了する。
【０１３５】
ステップＳ８５では、受信したタグＩＤ情報は、製品ＤＢ１６Ｃ（図３参照）に登録されているタグＩＤ情報か否かをチェックする。製品ＤＢ１６Ｃに登録されているタグＩＤ情報の場合（Ｙｅｓ）は、ステップＳ８６へ進み、そうでない場合（Ｎｏ）は、結合子（Ｇ）に従って図３４のステップＳ８７へ進む。ステップＳ８６では、製品移動情報として、製品ＩＤ情報に関係付けて、ゲートＩＤ情報、ゲート通過方向情報、時刻情報を記憶部２１ｃに記録する。ステップＳ８６の後、結合子（Ｆ）に従って、ゲート装置５５から受信したタグＩＤ情報、ゲート通過方向情報、時刻情報、ゲートＩＤ情報の処理を終了する。
【０１３６】
ステップＳ８７では、受信したタグＩＤ情報は、冶工具・計測器類ＤＢ１６Ｅ（図３参照）に登録されているタグＩＤ情報か否かをチェックする。冶工具・計測器類ＤＢ１６Ｅに登録されているタグＩＤ情報の場合（Ｙｅｓ）は、ステップＳ８９へ進み、そうでない場合（Ｎｏ）は、ステップＳ９０へ進む。ステップＳ８９では、冶工具・計測器類移動情報として、冶工具・計測器類ＩＤ情報に関係付けて、ゲートＩＤ情報、ゲート通過方向情報、時刻情報を記憶部２１ｃに記録する。ステップＳ８９の後、ゲート装置５５から受信したタグＩＤ情報、ゲート通過方向情報、時刻情報、ゲートＩＤ情報の処理を終了する。
【０１３７】
ステップＳ９０では、受信したタグＩＤ情報は、仮設品ＤＢ１６Ｆ（図３参照）に登録されているタグＩＤ情報か否かをチェックする。仮設品ＤＢ１６Ｆに登録されているタグＩＤ情報の場合（Ｙｅｓ）は、ステップＳ９１へ進み、そうでない場合（Ｎｏ）は、ステップＳ９２へ進む。ステップＳ９１では、仮設品移動情報として、仮設品ＩＤ情報に関係付けて、ゲートＩＤ情報、ゲート通過方向情報、時刻情報を記憶部２１ｃに記録する。ステップＳ９１の後、ゲート装置５５から受信したタグＩＤ情報、ゲート通過方向情報、時刻情報、ゲートＩＤ情報の処理を終了する。
【０１３８】
ステップＳ９２では、その他移動情報としてタグＩＤ情報に関係付けて、ゲートＩＤ情報、ゲート通過方向情報、時刻情報を記憶部２１ｃに記録する。
【０１３９】
（施工班・作業者移動情報）
図３５、図３６に示すように施工班・作業者移動情報８１は、タグＩＤ情報８１ａ、個人ＩＤ情報８１ｂ、ゲートＩＤ情報８１ｃ、時刻情報８１ｄ、通過方向情報８１ｅのデータのセットで構成されている。この図３５、図３６に示した例では、タグＩＤ情報８１ａが「ＲＦＩＤ＃００２０１」で、個人ＩＤ情報８１ｂが「ＰＡ００１０１」である班長の施工班・作業者移動情報８１を代表的に示しているが、それに伴って、その作業班を構成する他の作業者等５１（図１参照）も移動しているが、省略してある。この図３５に示す施工班・作業者移動情報８１は、作業班が２０１０年３月１日９：１０（時刻情報８１ｄ）にゲートＩＤ情報８１ｃが「Ｇ００１」のゲート装置５５Ａを通過して、つまり現場事務所１の出入口のゲート装置５５Ａから通路エリア＃１（６Ａ）へ出て、９：２１（時刻情報８１ｄ）に作業現場４のゲートＩＤ情報８１ｃが「Ｇ００２」のゲート装置５５Ｂを通過して通路エリア＃２（６Ｂ）に入り、９：２５（時刻情報８１ｄ）にゲートＩＤ情報８１ｃが「Ｇ００３」のゲート装置５５Ｃを通過して作業エリア＃１（５Ａ）に入り、１２：００（時刻情報８１ｄ）にゲート装置５５Ｃを通過して通路エリア＃２（６Ｂ）に出て、さらに、１２：０５（時刻情報８１ｄ）に作業現場４のゲート装置５５Ｂを通過して通路エリア＃１（６Ａ）に出ていることを示している。
【０１４０】
さらに、図３６に示す施工班・作業者移動情報８１は、作業班が２０１０年３月１日１３：１０（時刻情報８１ｄ）に作業現場４のゲート装置５５Ｂを通過して通路エリア＃２（６Ｂ）に入り、１３：１５（時刻情報８１ｄ）にゲート装置５５Ｃを通過して作業エリア＃１（５Ａ）に入り、１５：００（時刻情報８１ｄ）にゲート装置５５Ｃを通過して通路エリア＃２（６Ｂ）に出て、１５：１５（時刻情報８１ｄ）にゲートＩＤ情報８１ｃが「Ｇ００４」のゲート装置５５Ｄを通過して作業エリア＃２（５Ｂ）に入っていることを示している。その後、班は、１６：３０（時刻情報８１ｄ）にゲート装置５５Ｄを通過して通路エリア＃２（６Ｂ）に出て、再び１６：４５（時刻情報８１ｄ）にゲート装置５５Ｃを通過して作業エリア＃１（５Ａ）に戻り、１７：３０（時刻情報８１ｄ）にゲート装置５５Ｃを通過して通路エリア＃２（６Ｂ）に出て、１７：３５（時刻情報８１ｄ）にゲート装置５５Ｂを通過して通路エリア＃１（６Ａ）に出て、１７：４５（時刻情報８１ｄ）にゲート装置５５Ａを通過して現場事務所１に戻っていることを示している。
【０１４１】
《事務所端末における作業記録のダウンロードと作業記録ＤＢへの登録処理》
次に、図３７、図３８を参照しながら、適宜、図２、図３、図２４、図２８、図３０、図３１を参照して、事務所端末１１における作業記録の携帯端末４１からのダウンロードと作業記録ＤＢ１６Ｍ（図３参照）への登録処理の方法について説明する。図３７、図３８は、事務所端末における作業記録の携帯端末からのダウンロードと作業記録ＤＢへの登録処理の制御の流れのフローチャートである。この作業は、現場事務所１の操作者が、作業班長から携帯端末４１を受け取って、事務所端末１１と接続し、作業記録処理部２１８の機能を用いて行う。
【０１４２】
ステップＳ１０１では、作業記録処理部２１８は、作業記録の処理を選択されたか否かをチェックする。作業記録の処理を選択された場合（Ｙｅｓ）は、ステップＳ１０３へ進み、そうでない場合（Ｎｏ）は、ステップＳ１０２へ進み、他の処理を行う。
ステップＳ１０３では、携帯端末４１から作業記録をダウンロードし、ダウンロードされた各作業記録に記憶処理済みフラグをリセットして、付加する（「携帯端末４１から作業記録をダウンロードし、記憶処理済みフラグをリセットして付加」）。
ステップＳ１０４では、作業記録から記憶処理済みフラグの立てられていなくて、且つ、作業の開始又は作業の再開の処理のなされたものを検索する。作業の開始又は作業の再開の処理のなされた作業記録は、前記したように携帯端末４１において作業記録を取った際に、作業記録の電子ファイルには、「作業の開始」、「作業の再開」、「作業の完了」、「作業の中断」を示すタブ情報が付されているので、容易に検索できる。
【０１４３】
ステップＳ１０５では、作業記録の図書番号欄６１ｂ（図２４参照）から図書番号を読み出す。ちなみに、作業記録は作業指示書６０の書式のままで、作業の記録が記入されたものであり、前記したように作業が中断された場合には、作業指示書６０のＲｅｖ．番号がアップされて自動生成されることから、ここで図書番号と言う場合には、そのＲｅｖ．番号も含んでいる。
ステップＳ１０６では、作業記録のエリア番号欄６１ｇ（図２４参照）から作業エリア番号を読み出す、つまり、エリアＩＤ情報を読み出す。ステップＳ１０７では、作業班情報欄７０（図３０参照）に記載されている作業班長、作業者、有資格者、記録作成者欄７３ａ（図３１参照）の記録作成者の個人ＩＤ情報を読み出す。ちなみに、有資格者欄７０ｄ（図３０参照）と記録作成者欄７３ａ（図３１参照）の記録作成者の個人ＩＤ情報の読み出しは、念のための読み出しであり、本来は作業班情報欄７０に含まれているものだけで十分のはずである。
【０１４４】
ステップＳ１０８では、作業の開始又は再開の時刻情報、作業の完了又は中断の時刻情報を読み出す。具体的には、作業記録の時刻情報欄６７ｂ（図２８参照）から作業の開始又は再開の時刻情報を読み出し、作業記録の時刻情報欄６８ｂ（図２８参照）から作業の完了又は中断の時刻情報を読み出す。
ステップＳ１０９では、ステップＳ１０５で読み出した図書番号、ステップＳ１０６で読み出したエリアＩＤ情報、ステップＳ１０７で読み出した個人ＩＤ情報、ステップＳ１０８で読み出した作業の開始又は再開の時刻情報、作業の完了又は中断の時刻情報を、作業工数に係る情報として一時記憶する。このとき、作業班長の個人ＩＤ情報には作業班長を示す識別子を付加して、検索を容易にすると便利である。
【０１４５】
ステップＳ１１０では、作業の開始の処理がなされた作業記録か否かをチェックする。具体的には、現在処理作業対象の作業記録の電子ファイルに作業の開始を示すタブが付されているか否かをチェックする。作業の開始の処理のなされた作業記録の場合（Ｙｅｓ）は、ステップＳ１１１へ進み、そうでない場合（Ｎｏ）は、ステップＳ１１２へ進む。
ステップＳ１１１では、作業記録ＤＢ１６Ｍ（図３参照）に、当該作業指示書６０に対する作業記録のＲｅｖ．０として記憶させる。ステップＳ１１２では、作業記録ＤＢ１６Ｍを検索して、当該の中断された作業指示書６０に対する作業記録に対応させ、Ｒｅｖ．番号を付した作業記録として記憶させる。ステップＳ１１１，Ｓ１１２の後、結合子（Ｈ）に従って、図３８のステップＳ１１３へ進む。
ステップＳ１１３では、ステップＳ１０９において一時記憶された作業工数に係る情報に、Ｒｅｖ．番号を付した作業記録の図書番号を付加して、記憶部２１ｃに記憶させる。
【０１４６】
ステップＳ１１４では、作業の完了の処理がなされているか否かをチェックする。具体的には、現在処理作業対象の作業記録の電子ファイルに作業の完了を示すタブが付されているか否かをチェックする。作業の完了の処理のなされた作業記録の場合（Ｙｅｓ）は、ステップＳ１１５へ進み、そうでない場合（Ｎｏ）は、ステップＳ１１６へ進む。
ステップＳ１１５では、作業指示書６０の完了に係る手続き処理を行う。
【０１４７】
作業指示書６０の完了に係る手続き処理とは、操作者は、作業記録を表示部２２に表示させ点検して、さらに作業記録判定結果欄７２が「合格」の表示になっていることを確認した後、品質管理部門の担当者に当該の作業記録の審査者承認の手続きをしてもらうように転送する。そして、審査、承認されて欄７３ｃ，７３ｄ，７３ｅ，７３ｆが記入されたものが、作業記録ＤＢ１６Ｍに登録され、またその電子ファイルには、記録承認済みを識別可能な承認済みタブが付される。
また、作業手順ＤＢ１６Ｈ上の当該図書番号の作業指示書６０に対して完了のフラグを付加する。
【０１４８】
ステップＳ１１６では、作業指示書６０の作業の中断に係る手続き処理を行う。具体的には、ステップＳ１０３でダウンロードされた作業記録の中からＲｅｖ．番号を除いて同一番号の図書番号の作業記録を検索し、現在処理中の作業記録のものがＲｅｖ．番号で最大のものであり、且つ、作業の完了を示すタブが付加されていないことを確認する。その場合は、作業指示書６０の図書番号のＲｅｖ．番号を一つアップした作業指示書６０を作成する。その際、入力がされていない部分は空白のまま、作業指示書６０を発生させる。また、Ｒｅｖ．番号をアップされた作業指示書６０を生成するときに、前工程完了（中断）時写真欄６６の写真欄６６ａ、時刻情報欄６６ｂのデータは、作業完了（中断）時写真欄６８の写真欄６８ａ、時刻情報欄６８ｂのデータと置き換えられ、作業開始（再開）時写真欄６７の写真欄６７ａ、時刻情報欄６７ｂのデータ、並びに、作業完了（中断）時写真欄６８の写真欄６８ａ、時刻情報欄６８ｂのデータは削除される。その後、生成された作業指示を作業指示書ＤＢ１６Ｋに登録する。
次回、現場事務所１の担当者が作業班に作業の再開のため作業指示書６０を携帯端末４１にアップロードする場合、このＲｅｖ．番号の最大の作業指示書６０が用いられる。
【０１４９】
また、作業手順ＤＢ１６Ｈ上の当該図書番号の作業指示書６０に対し、当該の作業指示書６０に対する作業は、開始されて継続中であることを示すフラグが付加される。
【０１５０】
ステップＳ１１５，Ｓ１１６の後、ステップＳ１１７へ進む。ステップＳ１１７では、記憶処理済みフラグを当該の作業記録に立てる。ステップＳ１１８では、作業の開始又は再開の処理のなされた作業記録は残っているか否かをチェックする。残っている場合（Ｙｅｓ）は、結合子（Ｉ）に従って、図３７のステップＳ１０４に戻る。残っていない場合（Ｎｏ）は、ステップＳ１１９へ進む。
ステップＳ１１９では、携帯端末４１の作業記録を削除する。
以上により、一連の作業記録の処理が完了する。
【０１５１】
《事務所端末における工数計数処理》
次に、図３９から図４２を参照しながら、適宜、図２、図３、図７、図３５を参照して事務所端末１１の工数計数処理部２１９による工数計数処理の方法について説明する。図３９から図４１は、事務所端末における工数計数処理の制御の流れのフローチャートである。図４２は、工数計数処理における移動時間、準備時間、片付け時間の説明図である。
ステップＳ１３１では、工数計数処理部２１９（図２参照）は、工数計数処理を選択したか否かをチェックする。工数計数処理を選択されなかった場合（Ｎｏ）は、ステップＳ１３２へ進み、他の処理を行う。ステップＳ１３１において数計数処理を選択された場合（Ｙｅｓ）は、ステップＳ１３３へ進む。
【０１５２】
ステップＳ１３３では、記憶部２１ｃに記憶されている作業工数に係る情報を検索して、作業班長の個人ＩＤ情報でグループ化し、作業の開始又は再開の時刻情報の早い順に表示部２２に整列表示する。ステップＳ１３４では、作業の開始又は再開の時刻情報の早い順に作業工数に係る情報を自動選択する。
ステップＳ１３５では、選択された作業工数に係る情報に含まれるエリアＩＤ情報と作業の開始又は再開の時刻情報、作業者の個人ＩＤ情報とにもとづいて、施工班・作業者移動情報を記憶部２１ｃから検索する。作業の開始又は再開までに、エリアＩＤ情報の示す当該作業エリアに入るまでの有効な施工班・作業者移動情報を検索する。
ここで、「当該作業エリア」とは、ステップＳ１３５において選択された作業工数に係る情報に含まれるエリアＩＤ情報（作業指示書６０のエリア番号欄６１ｇの示すエリアＩＤ情報）が示す作業エリアのことである。
また、有効な施工班・作業者移動情報とは、工数計数処理の間に処理されて無効フラグを立てられたものが有効でない、つまり無効な施工班・作業者移動情報であり、後記するように無効フラグを立てられた施工班・作業者移動情報は、記憶部２１ｃから削除されるので、最初はどの施工班・作業者移動情報も有効な状態である。
【０１５３】
ステップＳ１３６では、作業の開始又は再開までに、当該作業エリアに入るまでの有効な施工班・作業者移動情報を選択する。
ステップＳ１３７では、当該作業エリアに入るまでの有効な施工班・作業者移動情報にもとづいて、個人ＩＤ情報毎に当該作業のための移動時間として算出する。
ステップＳ１３８では、当該作業エリアに入った後、作業の開始又は再開までの時間を個人ＩＤ情報毎に当該作業のための準備時間として算出する。
【０１５４】
ステップＳ１３８の後、結合子（Ｊ）に従って、図４０のステップＳ１３９へ進み、作業の開始又は再開の時刻情報と作業の完了又は中断の時刻情報とから、個人ＩＤ情報毎に当該作業の実工数（作業時間）として算出する。
続いて、ステップＳ１４０では、作業の完了又は中断の時刻情報から、当該作業エリアを出るまでの時間を、個人ＩＤ情報毎に当該作業のための片付け時間として算出する。
ステップＳ１４１では、当該作業エリア入るまでの施工班・作業者移動情報に対して、無効フラグを立てる。
ステップＳ１４２では、作業記録の図書番号、Ｒｅｖ．番号を付して個人ＩＤ情報とともに、移動時間、準備時間、片付け時間を工事工数ＤＢ１６Ｎに記憶させる。
【０１５５】
ステップＳ１４３では、処理された作業工数に係る情報の作業の完了又は中断の時刻情報の後に、他の未処理の作業工数に係る情報に含まれることなく、作業現場出入口ゲートを通過して作業現場を出ている作業者等５１を検索して検出したか否かをチェックする。該当する作業者等５１を検出した場合（Ｙｅｓ）は、ステップＳ１４４へ進み、検出しなかった場合（Ｎｏ）は、結合子（Ｋ）に従って、図４１のステップＳ１４５へ進む。
【０１５６】
ステップＳ１４４では、作業を終了した後の移動時間として、作業記録の図書番号、Ｒｅｖ．番号を付して、個人ＩＤ情報とともに、移動時間を工事工数ＤＢ１６Ｎに記憶させ、当該する施工班・作業者移動情報に対して、無効フラグを立てる。ステップＳ１４４の後、結合子（Ｋ）に従って、図４１のステップＳ１４５へ進む。
ステップＳ１４５では、当該の作業工数に係る情報に処理済みフラグを立てる。ステップＳ１４６では、処理済のフラグの立っていない作業工数に係る情報が残っているか否かをチェックする。残っている場合（Ｙｅｓ）は、結合子（Ｌ）に従って、図３９のステップＳ１３４に戻って、繰り返し処理を行う。ステップＳ１４６において処理済のフラグの立っていない作業工数に係る情報が残っていない場合（Ｎｏ）は、ステップＳ１４７へ進み、有効な施工班・作業者移動情報が残っているか否かをチェックする。残っている場合（Ｙｅｓ）は、ステップＳ１４８へ進み、残っていない場合（Ｎｏ）は、ステップＳ１５０へ進む。
【０１５７】
ステップＳ１４８では、「手作業による工数判断をして下さい」のメッセージを表示部２２（図２参照）に表示させる。
ステップＳ１４９では、事務所端末１１の操作者による手入力により、残っている施工班・作業者移動情報を処理する。つまり、どの作業手順書に係る、移動時間、準備時間、片付け時間に該当するかを判断して、そのように工事工数ＤＢ１６Ｎに記憶させる。そして、無効フラグをその施工班・作業者移動情報に立てる。
これは、作業班長や監督者のその日の作業前の全般的な見回りや、その日の作業の終了後の全般的な見回り作業の結果、施工班・作業者移動情報が自動的に発生するため、そのよう場合の処理である。
【０１５８】
ステップＳ１５０では、処理済のフラグの立っている作業工数に係る情報、無効フラグの立っている施工班・作業者移動情報を記憶部２１ｃから削除する。そして一連の、作業前の移動時間、準備時間、実工数、片付け時間、作業後の移動時間が個人ＩＤ情報毎に作業記録の図書番号、Ｒｅｖ．番号を付して算出が完了する。
【０１５９】
図４２において、作業班は、「Ｒ１」のゲート装置５５を通過して、その後、「Ｒ２」のゲート装置５５を通過して、作業指示書＃１で指示された作業エリア＃１に入っている。ここで、「Ｒ１」のゲート装置５５は、作業指示書＃１で指定された作業エリア＃１外のゲート装置５５、つまり、業指示書＃１で指定された作業エリア＃１の出入りに関係しないゲート装置５５、例えば、ゲート装置５５Ａ，５５Ｂ，５５Ｋ（図７参照）を言う。「Ｒ２」のゲート装置５５は、作業指示書＃１で指定された作業エリア＃１の出入口のゲート装置５５、例えば、ゲート装置５５Ｃ，５５Ｅを言う。
そして、「Ｒ１」のゲート装置５５を通過してから「Ｒ２」のゲート装置５５を通過するまでに時間Ｔ１かかっている。作業エリア＃１に入った後、時間Ｔ２を経過してから「Ｓ１−１」で示した時刻に、携帯端末４１で作業指示書＃１への作業の開始の入力をしている。その後、時間Ｔ３経過後に「Ｆ１−１」で示した時刻に作業指示書＃１の作業の中断の入力をしている。その後、作業班は「Ｒ２」のゲート装置５５を通過して作業エリア＃１の外へ出、例えば、時間Ｔ４だけ休憩を取り、再び、「Ｒ２」のゲート装置５５を通過して作業エリア＃１内に入り、直ちに「Ｓ１−２」で示した時刻に、携帯端末４１で作業指示書＃１への作業の再開の入力をし、時間Ｔ５経過後に「Ｆ１−２」で示した時刻に作業指示書＃１の作業の中断の入力をしている。そして、この班は、「Ｒ２」のゲート装置５５を通過して作業エリア＃１の外に出、「Ｒ３」のゲート装置５５を通過して作業エリア＃２内に入っている。この「Ｒ２」のゲート装置５５を通過して「Ｒ３」のゲート装置５５を通過までに、時間Ｔ６が経過している。
ここで、「Ｒ３」のゲート装置５５は、作業指示書＃２で指定された作業エリア＃２の出入口のゲート装置５５、例えば、ゲート装置５５Ｄ，５５Ｅ（図７参照）を言う。
【０１６０】
そして、作業エリア＃２に入った後、時間Ｔ７を経過してから「Ｓ２」で示した時刻に、携帯端末４１で作業指示書＃２への作業の開始の入力をしている。その後、時間Ｔ８経過後に「Ｆ２」で示した時刻に作業指示書＃２の作業の官僚の入力をしている。「Ｆ２」で示した時刻から時間Ｔ９経過後に、作業班は、「Ｒ３」のゲート装置５５を通過して作業エリア＃２の外へ出、時間Ｔ１０経過後に「Ｒ２」のゲート装置５５を通過して作業エリア＃１内に戻っている。そして、直ちに、「Ｓ１−３」で示した時刻に携帯端末４１で作業指示書＃１への作業の再開の入力をし、時間Ｔ１１経過後に「Ｆ１−３」で示した時刻に作業指示書＃１の作業の完了の入力をしている。そして、この班は、その「Ｆ１−３」で示した時刻から時間Ｔ１２経過後に「Ｒ２」のゲート装置５５を通過して作業エリア＃１の外に出、更に時間Ｔ１３経過後に「Ｒ１」のゲート装置５５を通過している。
【０１６１】
図４２において、例えば、作業エリア＃１に入るまでの時間Ｔ１が作業指示書＃１の作業に入る前の移動時間となる。
そして、作業エリア＃１内の滞在時間は図４２に示すように、Ｔ２＋Ｔ３＋Ｔ５＋Ｔ１１＋Ｔ１２である。作業指示書＃１にもとづく作業時間（実工数）はＴ３＋Ｔ５＋Ｔ１１である。そして、作業指示書＃１の作業のための準備時間はＴ２であり、業指示書＃１の作業のための片付け時間はＴ１２である。作業指示書＃１の作業後の移動時間はＴ１３である。
実際には、これらの時間にさらに作業班を構成する人数を乗じて人工（ｍａｎ・Ｈｒ）単位の工数計算をする。
【０１６２】
そして、作業エリア＃２内の滞在時間は図４２に示すように、Ｔ７＋Ｔ８＋Ｔ９である。作業指示書＃２にもとづく作業時間（実工数）はＴ８である。そして、作業指示書＃２の作業のための準備時間はＴ７であり、作業指示書＃２の作業のための片付け時間はＴ９である。作業エリア＃１と作業エリア＃２との間の移動時間はＴ６＋Ｔ１０である。
実際には、これらの時間にさらに作業班を構成する人数を乗じて人工（ｍａｎ・Ｈｒ）
【０１６３】
《工数管理の効果》
次に、以上のように図３９から図４１で説明したような方法で、作業記録の図書番号、Ｒｅｖ．番号を付された個人ＩＤ情報毎の実工数、準備時間、片付け時間、移動時間が工事工数ＤＢ１６Ｎに蓄積された結果を利用する効果について、図４３から図４７を用いて説明する。
図４３は、配管設置工事の作業時間集計表の例示の説明図である。作業時間集計表８３は「手順Ｎｏ．」と表示した項目番号欄８３ａ、「作業シーケンス」と表示の作業名称欄８３ｂ、作業開始時刻欄８３ｃ、作業中断時刻欄８３ｄ、作業再開時刻欄８３ｅ、作業完了時刻欄８３ｆ、実工数欄８３ｇ、目標工数欄８３ｈ、目標と実工数の差欄８３ｉ、エリア欄８４、作業班工数欄８５を含んで構成されている。
【０１６４】
ここで、作業名称欄８３ｂには、「搬入」、「ブラクリ」、「Ｆｕ（開先合せ）」、「溶接」、「仕上げ」、「検査」、「塗装」という一連の作業の名称の項目の他に、前記した一連の作業の内の最初の作業の開始の前の移動時間、準備時間を含んだ待ち工程（手順Ｎｏ．１の「待ち工程」）と、作業手順上の前の作業とその次の作業との間の前記した前の作業後の片付け時間、前記した前の作業後の移動時間、前記した次の作業前の移動時間及び前記した次の作業前の準備時間を合わせた待ち工程（手順Ｎｏ．３，５，７，９，１１，１３の「待ち工程」）と、一連の作業の内の最後の作業の完了後の片付け時間、移動時間を含んだ待ち工程（手順Ｎｏ．１５の「待ち工程」）を含んでいる。
ちなみに、「仕上げ」とは、「溶接部仕上げ」のことである。
【０１６５】
ちなみに、作業中断時刻欄８３ｄ、作業再開時刻欄８３ｅは、その中断、再開の回数分適宜増加される。
欄８３ｇ，８３ｈ，８３ｉの単位は「Ｈｒ」と表示してあるが、正確にはｍａｎ・Ｈｒである。
【０１６６】
エリア欄８４には、エリアＩＤ情報（エリア番号）を記載されるエリアＩＤ情報欄８４ａ、エリア区分欄８４ｂが設けられている。エリア区分欄８４ｂには、例えば、通路、部屋、放射線管理区域、放射線管理区域外等の作業エリアに係る情報が記載される。
【０１６７】
作業班工数欄８５は、作業班毎に設けられ、その作業班の班長名を記載する班長名欄８５ａ、その班のその作業において構成された人数を示す作業者数欄８５ｂ、その作業班の実工数を示す実工数欄８５ｃ、班全体の目標工数を示す目標工数欄８５ｄ、班評価欄８５ｅを含んで構成されている。
この班評価欄８５ｅは、作業者を管理する管理職が、作業班の実力を評価してその結果を入力する欄である。例えば、目標工数と実工数の間の差（実工数−目標工数）がプラス側で大きな場合には、評価が悪くなる。
【０１６８】
このような作業班毎の実工数の集計は、作業工数に係る情報の中には、作業記録のＲｅｖ．番号付きの図書番号が含まれ、さらに、作業班長を示す識別子を付加した作業班長の個人ＩＤ情報が含まれていることから、容易に作業班の作業者等５１の実工数の集計ができる。そして、作業班毎の実工数と目標工数の比較ができ、又、他の作業班と比較して各作業班の実力評価が、容易にできる。
また、待ち工程の時間についても、容易に集計ができる。
【０１６９】
また、作業の開始又は再開、作業の完了又は中断のときには、写真記録を取得するとともに、その時刻情報も取得するようにしているので、作業が完了して次の作業手順に移る際、又は同じ作業を再開する際にその前の状態を、改めて現場で確認することなく作業記録で確認ができるので、時間が節約できる。
特に、作業手順書による作業を中断した場合、作業手順書のＲｅｖ．番号をアップさせて、その際に作業を中断したときの作業記録をベースとし、前工程完了（中断）時写真欄６６ａ（図２８参照）に作業完了（中断）時写真欄６８ａの撮影画像を自動転記するので、確実に作業の再開時に前の状態を事前に確認できる。もし、作業班を入れ替える必要が生じても、確実な伝達が可能となる。
【０１７０】
さらに、以下のような作業工程の管理が行える。図４４は、配管設置工事の配管ライン別の作業工程の管理表示の説明図である。
例えば、図４４において、縦軸が作業手順の項目（図４４の縦軸では具体的項目は省略）を示し、横軸が月表示又は日付表示の時間を示し、配管ライン別の作業工程の管理表示８７が表示してある。このように実工数だけではなく、その作業項目の前後の待ち工程をも含めて、計画工程８８と実工程８９の比較ができる。ここで二重斜線部のボックス８８ａが計画工程８８における待ち工程８８ａを示し、白枠ボックス８８ｂが計画工程８８における目標工数８８ｂを示す。同様に、粗斜線のボックス８９ａが実工程８９における待ち工程８９ａを示し、密斜線ボックス８９ｂが実工程８９における実工数８９ｂを示す。
そして、このような作業工程の管理表示の図を電子ファイルとして作成するときに、作業記録リンクとして、作業実績、例えば、各項目の作業の作業完了画像、実工数の数値データ、作業実施内容等を貼り付けておき、実工程８９のボックス８９ｂにマーカを位置させると噴出し表示のようにして、作業完了画像、実工数の数値データ、作業実施内容等が表示されるようにすると便利である。
【０１７１】
図４５は、班別の工程管理表示の説明図である。図４５にいて、縦軸がエリアＩＤ情報を示し、横軸が月表示又は日付表示の時間を示し、１つの班がどのように作業エリアを移動して作業を行っているかを示す班別の作業工程の管理表示（班の動態管理）９１が示してある。計画工程９３に対し、実行程９４が示されて、エリアＩＤ情報で「ＴＢ２−Ａ」，「ＴＢ２−Ｂ」，「ＴＢ２−Ｃ」，「ＴＢ２−Ｄ」を実行程９４がどのように計画工程９３に比して推移しているかが表示できる。
この場合も、実行程９４に前記したような作業記録リンクをしておくと便利である。
【０１７２】
図４６は、工数管理表示の説明図である。図４５において縦軸が工数を、横軸が月表示又は日付表示の時間を示し、エリア別、建屋別、全体等の工数管理表示９５を示している。
図４７は、人員管理表示の説明図である。図４７において、縦軸が工数を示し、横軸が月表示又は日付表示の時間を示し、エリア別、建屋別、全体等の人員管理表示９７を示している。そして、縦棒で職種別、例えば、搬入、ブラクリ関係、溶接関係及び塗装関係、検査関係の３職種に分けて実行程における実人数（延べ人数）を示してある。
このような職種別の人員管理は、作業班が記録した作業記録（作業指示書６０に記録を入力されたもの）の作業名称から容易に判別して、計数することができる。
【０１７３】
このような、管理表示８７、９１，９５，９７のデータは、作業実績ＤＢ１６Ｐ（図３参照）に蓄積され、更新される。
なお、このような管理表示８７、９１，９５，９７のデータを作成するプログラムは、公知の市販のプログラム（ソフトウェア）によって容易に行えるので、図２の情報処理部２１ａの機能ブロックでは、省略してある。
【０１７４】
本実施形態では、事務所端末１１から携帯端末４１への作業指示書６０等のアップロードや、携帯端末４１から事務所端末１１への作業記録のダウンロードは、携帯端末４１の通信コネクタ４１ｈと、事務所端末１１の専用の通信端末２５とを通信ケーブルで接続して行う場合の例で説明したが、これに限定されるものではない。
作業現場４にＬＡＮケーブルが配設され、そのＬＡＮケーブルに接続した無線端末が各作業エリア等に設置され、その無線端末と携帯端末４１との間で無線通信が可能な状態であれば、無線端末とＬＡＮケーブルを介して事務所端末１１と接続でき、随時、前記したアップロードやダウンロードが携帯端末４１と事務所端末１１との間で可能である。その場合は、よりリアルタイムに実行程の進捗の管理が事務所端末１１で可能となる。
【符号の説明】
【０１７５】
１      現場事務所
２      本社設計データ室
３      設計室
４      作業現場
１１    事務所端末（管理端末）
１２Ａ，１２Ｂ，１２Ｃ  通信ゲート装置
１３    通信ネットワーク
１５    作業管理ＤＢ装置
１５ａ，２１ｂ，２１ｄ，４１ｇ  通信部
１５ｂ  情報処理部
１６Ａ  設計図情報ＤＢ
１６Ｂ  詳細施工情報ＤＢ
１６Ｃ  製品ＤＢ
１６Ｄ  人員管理ＤＢ
１６Ｅ  冶工具・計測器類ＤＢ
１６Ｆ  仮設品ＤＢ
１６Ｇ  工事工程ＤＢ
１６Ｈ  作業手順ＤＢ
１６Ｊ  ゲート設置ＤＢ
１６Ｊａ  エリアＩＤ情報欄
１６Ｊｂ  ゲートＩＤ情報欄
１６Ｊｃ  作業エリア／通路区分欄
１６Ｊｄ  ゲート通過方向定義欄
１６Ｋ  作業指示書ＤＢ
１６Ｌ  作業班・作業者ＤＢ
１６Ｍ  作業記録ＤＢ
１６Ｎ  工事工数ＤＢ
１６Ｐ  作業実績ＤＢ
１７    エンジニアリングワークステーション
２１ａ  情報処理部
２１ｃ，４１ｆ  記憶部
２２    表示部
２３    入力部
２４    ＲＦＩＤ＿Ｒ／Ｗ
２５    通信端末
４１    携帯端末
４１ａ  情報処理部
４１ｂ  表示部（表示手段）
４１ｃ  入力部（入力手段）
４１ｄ  カメラ部（撮影手段）
４１ｅ  ＲＦＩＤ＿Ｒ／Ｗ（タグ通信手段）
４１ｈ  通信コネクタ
４３，４３Ａ〜４３Ｅ  製品（対象機器又は対象部材）
４４    ＲＦＩＤタグ（製品無線識別タグ）
４５    冶工具・計測器類
４６    ＲＦＩＤタグ
４７    仮設品
４８    ＲＦＩＤタグ
５１    作業者等
５２    ＲＦＩＤタグ（個人無線識別タグ）
５５，５５Ａ，５５Ｂ，５５Ｃ，５５Ｄ，５５Ｅ，５５Ｆ，５５Ｇ，５５Ｈ，５５Ｊ，５５Ｋ  ゲート装置（入退出検出手段）
６０    作業指示書（作業記録）
６１    作業名等欄
６２    溶接部上下流配管データ欄
６３Ａ，６３Ｂ，６３Ｃ  開先データ欄
６４    開先形状図欄
６５    施工時確認事項欄
６６    前工程完了（中断）時写真欄
６６ａ  写真欄
６６ｂ  時刻情報欄
６７    作業開始（再開）時写真欄
６７ａ  写真欄
６７ｂ  時刻情報欄
６８    作業完了（中断）時写真欄
６８ａ  写真欄
６８ｂ  時刻情報欄
６９    作業工数欄
７０    作業班情報欄
７０ａ  施工者欄
７０ｂ  作業班長欄
７０ｃ  作業者欄
７０ｄ  有資格者欄
７２    作業記録判定結果欄
８１    施工班・作業者移動情報
１００  作業データ集収管理システム（作業管理システム）
２１１  人員管理部
２１２  治工具・計測器類管理部
２１３  仮設品管理部
２１４  設計図情報取得部
２１５  施工情報取得部
２１６  作業指示書作成部
２１７  ゲートチェック処理部
２１８  作業記録処理部
２１９  工数計数処理部（工数計測処理手段）
２４１  作業指示取得部
２４２  設計図情報取得部
２４３  作業記録作成部
２４４  ＲＦＩＤ＿Ｒ／Ｗ制御部（タグ通信手段）
２４５  カメラ画像制御部（撮影手段）
【図１】
2011227811.tif 000003
【図２】
2011227811.tif 000004
【図３】
2011227811.tif 000005
【図４】
2011227811.tif 000006
【図５】
2011227811.tif 000007
【図６】
2011227811.tif 000008
【図７】
2011227811.tif 000009
【図８】
2011227811.tif 000010
【図９】
2011227811.tif 000011
【図１０】
2011227811.tif 000012
【図１１】
2011227811.tif 000013
【図１２】
2011227811.tif 000014
【図１３】
2011227811.tif 000015
【図１４】
2011227811.tif 000016
【図１５】
2011227811.tif 000017
【図１６】
2011227811.tif 000018
【図１７】
2011227811.tif 000019
【図１８】
2011227811.tif 000020
【図１９】
2011227811.tif 000021
【図２０】
2011227811.tif 000022
【図２１】
2011227811.tif 000023
【図２２】
2011227811.tif 000024
【図２３】
2011227811.tif 000025
【図２４】
2011227811.tif 000026
【図２５】
2011227811.tif 000027
【図２６】
2011227811.tif 000028
【図２７】
2011227811.tif 000029
【図２８】
2011227811.tif 000030
【図２９】
2011227811.tif 000031
【図３０】
2011227811.tif 000032
【図３１】
2011227811.tif 000033
【図３２】
2011227811.tif 000034
【図３３】
2011227811.tif 000035
【図３４】
2011227811.tif 000036
【図３５】
2011227811.tif 000037
【図３６】
2011227811.tif 000038
【図３７】
2011227811.tif 000039
【図３８】
2011227811.tif 000040
【図３９】
2011227811.tif 000041
【図４０】
2011227811.tif 000042
【図４１】
2011227811.tif 000043
【図４２】
2011227811.tif 000044
【図４３】
2011227811.tif 000045
【図４４】
2011227811.tif 000046
【図４５】
2011227811.tif 000047
【図４６】
2011227811.tif 000048
【図４７】
2011227811.tif 000049